(57)【特許請求の範囲】
【請求項１】
物理下りリンク制御チャネルを用いてスケジュールされた物理下りリンク共用チャネルで、下りリンクトランスポートブロックを基地局装置から受信する移動局装置であって、
ＲＲＣシグナリングを用いて指示された第１の上りリンクコンポーネントキャリアにおいて、前記ＲＲＣシグナリングを用いて送信されたパラメータに基づいて複数の物理上りリンク制御チャネルのリソースを設定する手段と、
前記第１の上りリンクコンポーネントキャリアにリンクし、且つ、活性化された、第１の下りリンクコンポーネントキャリアにおける、あるサブフレームにおいて、前記物理下りリンク制御チャネルを検出した場合に、前記物理下りリンク制御チャネルを検出することによって指示された前記物理下りリンク共用チャネルでの送信に対して、前記物理下りリンク制御チャネルの制御チャネル要素に基づいて、前記第１の上りリンクコンポーネントキャリアにおける物理上りリンク制御チャネルのリソースを決定する手段と、
前記第１の下りリンクコンポーネントキャリアとは異なり、且つ、活性化された、第２の下りリンクコンポーネントキャリアにおける、前記あるサブフレームにおいて、前記物理下りリンク制御チャネルを検出した場合に、前記物理下りリンク制御チャネルを検出することによって指示された前記物理下りリンク共用チャネルでの送信に対して、前記設定された複数の物理上りリンク制御チャネルのリソースの中から、物理上りリンク制御チャネルのリソースを決定する手段と、
前記決定した物理上りリンク制御チャネルのリソースの中のいずれか１つの物理上りリンク制御チャネルのリソースを用いて、前記下りリンクトランスポートブロックに対するＨＡＲＱにおける制御情報を示すために用いられる複数の情報ビットを前記基地局装置へ送信する手段と、を備える
移動局装置。
【請求項２】
前記ＨＡＲＱにおける制御情報は、ＡＣＫ／ＮＡＣＫを示す情報である
請求項１に記載の移動局装置。
【請求項３】
物理下りリンク制御チャネルを用いてスケジュールした物理下りリンク共用チャネルで、下りリンクトランスポートブロックを移動局装置へ送信する基地局装置であって、
ＲＲＣシグナリングを用いて指示した第１の上りリンクコンポーネントキャリアにおいて、前記ＲＲＣシグナリングを用いて送信したパラメータに基づいて複数の物理上りリンク制御チャネルのリソースを設定する手段と、
前記第１の上りリンクコンポーネントキャリアにリンクし、且つ、活性化された、第１の下りリンクコンポーネントキャリアにおける、あるサブフレームにおいて、前記物理下りリンク制御チャネルを用いてスケジュールした前記物理下りリンク共用チャネルでの送信に対して、前記物理下りリンク制御チャネルの制御チャネル要素に基づいて、前記第１の上りリンクコンポーネントキャリアにおける物理上りリンク制御チャネルのリソースを決定する手段と、
前記第１の下りリンクコンポーネントキャリアとは異なり、且つ、活性化された、第２の下りリンクコンポーネントキャリアにおける、前記あるサブフレームにおいて、前記物理下りリンク制御チャネルを用いてスケジュールした前記物理下りリンク共用チャネルでの送信に対して、前記設定された複数の物理上りリンク制御チャネルのリソースの中から、物理上りリンク制御チャネルのリソースを決定する手段と、
前記決定した物理上りリンク制御チャネルのリソースの中のいずれか１つの物理上りリンク制御チャネルのリソースを用いて、前記下りリンクトランスポートブロックに対するＨＡＲＱにおける制御情報を示すために用いられる複数の情報ビットを前記移動局装置から受信する手段と、を備える
基地局装置。
【請求項４】
前記ＨＡＲＱにおける制御情報は、ＡＣＫ／ＮＡＣＫを示す情報である
請求項３に記載の基地局装置。
【請求項５】
物理下りリンク制御チャネルを用いてスケジュールされた物理下りリンク共用チャネルで、下りリンクトランスポートブロックを基地局装置から受信する移動局装置の通信方法であって、
ＲＲＣシグナリングを用いて指示された第１の上りリンクコンポーネントキャリアにおいて、前記ＲＲＣシグナリングを用いて送信されたパラメータに基づいて複数の物理上りリンク制御チャネルのリソースを設定し、
前記第１の上りリンクコンポーネントキャリアにリンクし、且つ、活性化された、第１の下りリンクコンポーネントキャリアにおける、あるサブフレームにおいて、前記物理下りリンク制御チャネルを検出した場合に、前記物理下りリンク制御チャネルを検出することによって指示された前記物理下りリンク共用チャネルでの送信に対して、前記物理下りリンク制御チャネルの制御チャネル要素に基づいて、前記第１の上りリンクコンポーネントキャリアにおける物理上りリンク制御チャネルのリソースを決定し、
前記第１の下りリンクコンポーネントキャリアとは異なり、且つ、活性化された、第２の下りリンクコンポーネントキャリアにおける、前記あるサブフレームにおいて、前記物理下りリンク制御チャネルを検出した場合に、前記物理下りリンク制御チャネルを検出することによって指示された前記物理下りリンク共用チャネルでの送信に対して、前記設定された複数の物理上りリンク制御チャネルのリソースの中から、物理上りリンク制御チャネルのリソースを決定し、
前記決定した物理上りリンク制御チャネルのリソースの中のいずれか１つの物理上りリンク制御チャネルのリソースを用いて、前記下りリンクトランスポートブロックに対するＨＡＲＱにおける制御情報を示すために用いられる複数の情報ビットを前記基地局装置へ送信する
通信方法。
【請求項６】
前記ＨＡＲＱにおける制御情報は、ＡＣＫ／ＮＡＣＫを示す情報である
請求項５に記載の通信方法。
【請求項７】
物理下りリンク制御チャネルを用いてスケジュールした物理下りリンク共用チャネルで、下りリンクトランスポートブロックを移動局装置へ送信する基地局装置の通信方法であって、
ＲＲＣシグナリングを用いて指示した第１の上りリンクコンポーネントキャリアにおいて、前記ＲＲＣシグナリングを用いて送信したパラメータに基づいて複数の物理上りリンク制御チャネルのリソースを設定し、
前記第１の上りリンクコンポーネントキャリアにリンクし、且つ、活性化された、第１の下りリンクコンポーネントキャリアにおける、あるサブフレームにおいて、前記物理下りリンク制御チャネルを用いてスケジュールした前記物理下りリンク共用チャネルでの送信に対して、前記物理下りリンク制御チャネルの制御チャネル要素に基づいて、前記第１の上りリンクコンポーネントキャリアにおける物理上りリンク制御チャネルのリソースを決定し、
前記第１の下りリンクコンポーネントキャリアとは異なり、且つ、活性化された、第２の下りリンクコンポーネントキャリアにおける、前記あるサブフレームにおいて、前記物理下りリンク制御チャネルを用いてスケジュールした前記物理下りリンク共用チャネルでの送信に対して、前記設定された複数の物理上りリンク制御チャネルのリソースの中から、物理上りリンク制御チャネルのリソースを決定し、
前記決定した物理上りリンク制御チャネルのリソースの中のいずれか１つの物理上りリンク制御チャネルのリソースを用いて、前記下りリンクトランスポートブロックに対するＨＡＲＱにおける制御情報を示すために用いられる複数の情報ビットを前記移動局装置から受信する
通信方法。
【請求項８】
前記ＨＡＲＱにおける制御情報は、ＡＣＫ／ＮＡＣＫを示す情報である
請求項７に記載の通信方法。
【発明の詳細な説明】
【技術分野】
【０００１】
本発明は、基地局装置および移動局装置から構成される移動通信システムおよび移動通信方法に関する。
【背景技術】
【０００２】
３ＧＰＰ（3rd Generation Partnership Project）は、Ｗ−ＣＤＭＡ（Wideband-Code Division Multiple Access）と、ＧＳＭ（Global System for Mobile Communications）とを発展させたネットワークを基本した移動通信システムの仕様の検討・作成を行なうプロジェクトである。３ＧＰＰでは、Ｗ−ＣＤＭＡ方式が第３世代セルラー移動通信方式として標準化され、順次サービスが開始されている。また、通信速度をさらに高速化させたＨＳＤＰＡ（High-speed Downlink Packet Access）も標準化され、サービスが開始されている。３ＧＰＰでは、第３世代無線アクセス技術の進化（以下、「ＬＴＥ（Long Term Evolution）」、もしくは、「ＥＵＴＲＡ（Evolved Universal Terrestrial Radio Access）」と呼称する。）、および、より広帯域な周波数帯域を利用して、さらに高速なデータの送受信を実現する移動通信システム（以下、「ＬＴＥ−Ａ（Long Term Evolution-Advanced）」、もしくは、「Ａｄｖａｎｃｅｄ−ＥＵＴＲＡ」と呼称する。）に関する検討が進められている。
【０００３】
ＬＴＥにおける通信方式としては、互いに直交するサブキャリアを用いてユーザ多重化を行なうＯＦＤＭＡ（Orthogonal Frequency Division Multiple Access）方式、および、ＳＣ−ＦＤＭＡ（Single Carrier-Frequency Division Multiple Access）方式が検討されている。すなわち、下りリンクでは、マルチキャリア通信方式であるＯＦＤＭＡ方式が、上りリンクでは、シングルキャリア通信方式であるＳＣ−ＦＤＭＡ方式が提案されている。
【０００４】
一方、ＬＴＥ−Ａにおける通信方式としては、下りリンクでは、ＯＦＤＭＡ方式が、上りリンクでは、ＳＣ−ＦＤＭＡ方式に加えて、ＯＦＤＭＡ方式、Ｃｌｕｓｔｅｒｅｄ−ＳＣ−ＦＤＭＡ（Clustered-Single Carrier-Frequency Division Multiple Access、DFT-s-OFDM with Spectrum Division Controlとも呼称される。）方式を導入することが検討されている。ここで、ＬＴＥおよびＬＴＥ−Ａにおいて、上りリンクの通信方式として提案されているＳＣ−ＦＤＭＡ方式は、データを送信する際のＰＡＰＲ（Peak to Average Power Ratio：ピーク電力対平均電力比、送信電力）を低く抑えることができるという特徴を持っている。
【０００５】
また、ＬＴＥ−Ａでは、一般的な移動通信システムで使用する周波数帯域は連続であるのに対し、連続／不連続な複数の周波数帯域（以下、「キャリア要素、キャリアコンポーネント（ＣＣ：Carrier Component）」、もしくは、「要素キャリア、コンポーネントキャリア（ＣＣ：Component Carrier）」と呼称する。）を複合的に使用して、１つの広帯域な周波数帯域として運用する（周波数帯域集約：Spectrum aggregation、Carrier aggregation、Frequency aggregationなどとも呼称される。）ことが検討されている（非特許文献１）。さらに、基地局装置および移動局装置が、広帯域な周波数帯域をより柔軟に使用して通信を行なうために、下りリンクの通信に使用する周波数帯域と上りリンクの通信に使用する周波数帯域を異なる周波数帯域幅とする（非対称周波数帯域集約：Asymmetric carrier aggregation）ことも提案されている（非特許文献２）。
【０００６】
図７は、従来の技術における周波数帯域集約された移動通信システムを説明する図である。図７に示されるような下りリンク（以下、ＤＬ：Down Linkとも呼称する）の通信に使用する周波数帯域と上りリンク（以下、ＵＬ：Up Linkとも呼称する）の通信に使用する周波数帯域を同じ帯域幅とすることは、対称周波数帯域集約（Symmetric carrier aggregation）とも呼称される。図７に示すように、基地局装置と移動局装置は、連続および／または不連続な周波数帯域である複数のキャリア要素を複合的に使用することによって、複数のキャリア要素から構成される広帯域な周波数帯域で通信を行うことができる。図７では、例として、１００ＭＨｚの帯域幅を持った下りリンクの通信に使用する周波数帯域（以下、ＤＬシステム帯域、ＤＬシステム帯域幅とも呼称する）が、２０ＭＨｚの帯域幅を持った５つの下りリンクのキャリア要素（ＤＣＣ１：Downlink Component Carrier１、ＤＣＣ２、ＤＣＣ３、ＤＣＣ４、ＤＣＣ５）によって構成されていることを示している。また、例として、１００ＭＨｚの帯域幅を持った上りリンクの通信に使用する周波数帯域（以下、ＵＬシステム帯域、ＵＬシステム帯域幅とも呼称する）が、２０ＭＨｚの帯域幅を持った５つの上りリンクのキャリア要素（ＵＣＣ１：Uplink Component Carrier１、ＵＣＣ２、ＵＣＣ３、ＵＣＣ４、ＵＣＣ５）によって構成されていることを示している。
【０００７】
図７において、下りリンクのキャリア要素それぞれには、物理下りリンク制御チャネル（以下、ＰＤＣＣＨ：Physical Downlink Control Channel）、物理下りリンク共用チャネル（以下、ＰＤＳＣＨ：Physical Downlink Shared Channel）等の下りリンクのチャネルが配置される。基地局装置は、ＰＤＳＣＨを使用して送信される下りリンクトランスポートブロックを送信するための制御情報（リソース割り当て情報、ＭＣＳ（Modulation and Coding Scheme：変調符号化方式）情報、ＨＡＲＱ（Hybrid Automatic Repeat Request：ハイブリッド自動再送要求）処理情報など）を、ＰＤＣＣＨを使用して移動局装置に送信し、ＰＤＳＣＨを使用して下りリンクトランスポートブロックを移動局装置に送信することができる。すなわち、図７において、基地局装置は、同一サブフレームで、最大５つまでの下りリンクトランスポートブロックを移動局装置へ送信することができる。
【０００８】
また、上りリンクのキャリア要素それぞれには、物理上りリンク制御チャネル（以下、ＰＵＣＣＨ：Physical Uplink Control Channel）、物理上りリンク共用チャネル（以下、ＰＵＳＣＨ：Physical Uplink Shared Channel）等の上りリンクのチャネルが配置される。移動局装置は、ＰＵＣＣＨおよび／またはＰＵＳＣＨを使用して、ＰＤＣＣＨおよび／または下りリンクトランスポートブロックに対するＨＡＲＱにおける制御情報（以下、ＨＡＲＱにおける制御情報とも呼称する）を基地局装置へ送信することができる。ここで、ＨＡＲＱにおける制御情報とは、ＰＤＣＣＨおよび／または下りリンクトランスポートブロックに対するＡＣＫ／ＮＡＣＫ（肯定応答：Positive Acknowledgement／否定応答：Negative Acknowledgement）を示す情報（信号）および／またはＤＴＸ（Discontinuous Transmission）を示す情報（信号）のことである。ＤＴＸを示す情報とは、移動局装置が、基地局装置から送信されるＰＤＣＣＨを検出できなかったことを示す情報である。ここで、図７において、ＰＤＣＣＨ、ＰＤＳＣＨ、ＰＵＣＣＨ、ＰＵＳＣＨ等の下りリンク／上りリンクのチャネルのいずれかが配置されない下りリンク／上りリンクのキャリア要素が存在してもよい。
【０００９】
同様に、図８は、従来の技術における非対称周波数帯域集約（Asymmetric carrier aggregation）された移動通信システムを説明する図である。図８に示すように、基地局装置と移動局装置は、下りリンクの通信に使用する周波数帯域と上りリンクの通信に使用する周波数帯域を異なる帯域幅とし、これらの周波数帯域を構成する連続および／または不連続な周波数帯域であるキャリア要素を複合的に使用して広帯域な周波数帯域で通信を行うことができる。図８では、例として、１００ＭＨｚの帯域幅を持った下りリンクの通信に使用する周波数帯域が、２０ＭＨｚの帯域幅を持った５つの下りリンクのキャリア要素（ＤＣＣ１、ＤＣＣ２、ＤＣＣ３、ＤＣＣ４、ＤＣＣ５）によって構成され、また、４０ＭＨｚの帯域幅を持った上りリンクの通信に使用する周波数帯域が、２０ＭＨｚの帯域幅を持った２つの上りリンクのキャリア要素（ＵＣＣ１、ＵＣＣ２）によって構成されていることを示している。図８において、下りリンク／上りリンクのキャリア要素のそれぞれには、下りリンク／上りリンクのチャネルがそれぞれ配置され、基地局装置は、複数のＰＤＣＣＨによって割り当てた複数のＰＤＳＣＨを使用して、複数の下りリンクトランスポートブロックを、同一サブフレームで移動局装置へ送信することができる。また、移動局装置は、ＰＵＣＣＨおよび／またはＰＵＳＣＨを使用して、ＨＡＲＱにおける制御情報を基地局装置へ送信することができる。
【先行技術文献】
【非特許文献】
【００１０】
【非特許文献１】"LTE-Advanced-LTE evolution towards IMT-Advanced Technology components", 3GPP TSG RAN IMT Advanced Workshop, REV-080030, April 7-8, 2008.
【非特許文献２】"Initial Access Procedure for Asymmetric Wider Bandwidth in LTE-Advanced", 3GPP TSG RAN WG１ Meeting #55, R１-084249, November １0-１4, 2008.
【発明の概要】
【発明が解決しようとする課題】
【００１１】
しかしながら、従来の技術では、基地局装置と移動局装置が、複数のキャリア要素によって構成される広帯域な周波数帯域を使用して通信を行う際に、具体的に、どのようなやり取りをしてＨＡＲＱにおける制御情報を送受信するのかが明確にされていなかった。
【００１２】
移動局装置が、ＨＡＲＱにおける制御情報を基地局装置へ送信する場合、基地局装置は、移動局装置がＨＡＲＱにおける制御情報を送信するための上りリンクのリソースを効率的に設定しなければならない（割り当てなければならない）。例えば、基地局装置が制御するセル内の全ての移動局装置が、ＨＡＲＱにおける制御情報を送信するために、多くの上りリンクのリソースを使用しては、セル内の上りリンクのリソースを非効率に使用することとなり、無線リソースに無駄が生じてしまう。基地局装置は、各移動局装置の状況（例えば、通信に使用しているキャリア要素の数など）に応じて、ＨＡＲＱにおける制御情報を送信するための上りリンクのリソースを効率的に設定することが要求される。
【００１３】
また、移動局装置が、ＨＡＲＱにおける制御情報を基地局装置へ送信する場合、移動局装置における送信電力を考慮しなければならない。例えば、移動局装置が、同一サブフレームで多くの上りリンクのキャリア要素（多くのチャネルを使用して）を使用して、複数のＨＡＲＱにおける制御情報を送信するためには、非常に高い電力でＨＡＲＱにおける制御情報を送信する必要が出てしまう。例えば、移動局装置が、同一サブフレームで５つの上りリンクのキャリア要素それぞれに配置される５つのＰＵＣＣＨ全てを使用して、ＨＡＲＱにおける制御情報を基地局装置へ送信するようにしては、移動局装置に対して、非常に高い電力でＨＡＲＱにおける制御情報を送信させるための能力を持たせる必要が出てしまう。移動局装置における送信電力の能力を高くすることは、移動局装置が搭載するパワーアンプ（ＰＡ：Power Amplifier）等の能力を高くすることに繋がり、移動局装置のコストが高くなってしまう。
【００１４】
このように、従来の技術では、基地局装置と移動局装置が、複数のキャリア要素によって構成される広帯域な周波数帯域を使用して通信を行う際に、具体的に、どのようなやり取りをしてＨＡＲＱにおける制御情報を送受信するのかが明確にされていないために、ＨＡＲＱを送信するための無線リソースに無駄が生じ、また、移動局装置における送信電力が高くなってしまうという問題があった。
【００１５】
本発明は、このような事情に鑑みてなされたものであり、基地局装置と移動局装置が、複数のキャリア要素によって構成される広帯域な周波数帯域を使用して通信を行う際に、ＨＡＲＱにおける制御情報の送受信を効率的に行い、基地局装置によるリソースの設定方法や、移動局装置における送信電力を考慮した移動通信システムおよび移動通信方法を提供することを目的とする。
【課題を解決するための手段】
【００１６】
（１）上記の目的を達成するために、本発明は、以下のような手段を講じた。すなわち、本発明の移動通信システムは、基地局装置と移動局装置が複数のコンポーネントキャリアを集約して通信を行う移動通信システムであって、前記基地局装置は、第１の物理上りリンク制御チャネルを準静的に前記移動局装置へ設定し、第２の物理上りリンク制御チャネルを前記第１の物理上りリンク制御チャネルを設定したサブフレームと同一のサブフレームに動的に前記移動局装置へ設定し、前記移動局装置は、前記第１の物理上りリンク制御チャネルおよび前記第２の物理上りリンク制御チャネルを使用してＨＡＲＱにおける制御情報を前記基地局装置へ送信することを特徴としている。
【００１７】
（２）また、基地局装置と移動局装置が複数のコンポーネントキャリアを集約して通信を行う移動通信システムであって、前記基地局装置は、第１の物理上りリンク制御チャネルを準静的に前記移動局装置へ設定し、第２の物理上りリンク制御チャネルを前記第１の物理上りリンク制御チャネルを設定したサブフレームと同一のサブフレームに動的に前記移動局装置へ設定し、前記移動局装置は、前記第１の物理上りリンク制御チャネルまたは前記第２の物理上りリンク制御チャネルを使用してＨＡＲＱにおける制御情報を前記基地局装置へ送信することを特徴としている。
【００１８】
（３）また、前記移動局装置は、前記ＨＡＲＱにおける制御情報をバンドリングして前記基地局装置へ送信することを特徴としている。
【００１９】
（４）また、前記移動局装置は、前記ＨＡＲＱにおける制御情報を多重して前記基地局装置へ送信することを特徴としている。
【００２０】
（５）また、前記ＨＡＲＱにおける制御情報は、下りリンクトランスポートブロックに対するＡＣＫ／ＮＡＣＫを示す情報であることを特徴としている。
【００２１】
（６）また、前記ＨＡＲＱにおける制御情報は、前記移動局装置が、前記基地局装置から送信される物理下りリンク制御チャネルを検出できなかったことを示す情報であることを特徴としている。
【００２２】
（７）また、基地局装置と移動局装置が複数のコンポーネントキャリアを集約して通信を行う移動通信システムであって、前記基地局装置は、第１の物理上りリンク制御チャネルを準静的に前記移動局装置へ設定し、下りリンクコンポーネントキャリアの活性化および／または非活性化を指示する情報を前記移動局装置へ送信し、第２の物理上りリンク制御チャネルを前記第１の物理上りリンク制御チャネルを設定したサブフレームと同一のサブフレームに動的に前記移動局装置へ設定し、前記移動局装置は、前記活性化および／または非活性化を指示する情報に従って活性化した前記第１の物理上りリンク制御チャネル、および／または、第２の物理上りリンク制御チャネルを使用して、ＨＡＲＱにおける制御情報を前記基地局装置へ送信することを特徴としている。
【００２３】
（８）また、基地局装置と移動局装置が複数のコンポーネントキャリアを集約して通信を行う移動通信システムであって、前記基地局装置は、第１の物理上りリンク制御チャネルを準静的に前記移動局装置へ設定し、下りリンクコンポーネントキャリアの活性化および／または非活性化を指示する情報を前記移動局装置へ送信し、第２の物理上りリンク制御チャネルを前記第１の物理上りリンク制御チャネルを設定したサブフレームと同一のサブフレームに動的に前記移動局装置へ設定し、前記移動局装置は、前記活性化および／または非活性化を指示する情報に従って選択した前記第１の物理上りリンク制御チャネル、および／または、第２の物理上りリンク制御チャネルを使用して、ＨＡＲＱにおける制御情報を前記基地局装置へ送信することを特徴としている。
【００２４】
（９）また、前記移動局装置は、前記ＨＡＲＱにおける制御情報をバンドリングして前記基地局装置へ送信することを特徴としている。
【００２５】
（１０）また、前記移動局装置は、前記ＨＡＲＱにおける制御情報を多重して前記基地局装置へ送信することを特徴としている。
【００２６】
（１１）また、前記ＨＡＲＱにおける制御情報は、下りリンクトランスポートブロックに対するＡＣＫ／ＮＡＣＫを示す情報であることを特徴としている。
【００２７】
（１２）また、前記ＨＡＲＱにおける制御情報は、移動局装置が、基地局装置から送信される物理下りリンク制御チャネルを検出できなかったことを示す情報であることを特徴としている。
【００２８】
（１３）また、基地局装置と移動局装置が複数のコンポーネントキャリアを集約して通信を行う移動通信システムにおける移動局装置であって、第１の物理上りリンク制御チャネルを準静的に設定する無線資源制御信号を前記基地局装置から受信する手段と、第２の物理上りリンク制御チャネルを前記第１の物理上りリンク制御チャネルを設定したサブフレームと同一のサブフレームに動的に設定する物理下りリンク制御チャネルを前記基地局装置から受信する手段と、前記第１の物理上りリンク制御チャネルおよび前記第２の物理上りリンク制御チャネルを使用してＨＡＲＱにおける制御情報を前記基地局装置へ送信する手段と、を備えることを特徴としている。
【００２９】
（１４）また、基地局装置と移動局装置が複数のコンポーネントキャリアを集約して通信を行う移動通信システムにおける移動局装置であって、第１の物理上りリンク制御チャネルを準静的に設定する無線資源制御信号を前記基地局装置から受信する手段と、第２の物理上りリンク制御チャネルを前記第１の物理上りリンク制御チャネルを設定したサブフレームと同一のサブフレームに動的に設定する物理下りリンク制御チャネルを前記基地局装置から受信する手段と、前記第１の物理上りリンク制御チャネルまたは前記第２の物理上りリンク制御チャネルを使用してＨＡＲＱにおける制御情報を前記基地局装置へ送信する手段と、を備えることを特徴としている。
【００３０】
（１５）また、前記移動局装置は、前記ＨＡＲＱにおける制御情報をバンドリングして前記基地局装置へ送信することを特徴としている。
【００３１】
（１６）また、前記移動局装置は、前記ＨＡＲＱにおける制御情報を多重して前記基地局装置へ送信することを特徴としている。
【００３２】
（１７）また、前記ＨＡＲＱにおける制御情報は、下りリンクトランスポートブロックに対するＡＣＫ／ＮＡＣＫを示す情報であることを特徴としている。
【００３３】
（１８）また、前記ＨＡＲＱにおける制御情報は、前記移動局装置が、前記基地局装置から送信される物理下りリンク制御チャネルを検出できなかったことを示す情報であることを特徴としている。
【００３４】
（１９）また、基地局装置と移動局装置が複数のコンポーネントキャリアを集約して通信を行う移動通信システムにおける移動局装置であって、第１の物理上りリンク制御チャネルを準静的に設定する無線資源制御信号を前記基地局装置から受信する手段と、下りリンクコンポーネントキャリアの活性化および／または非活性化を指示する情報を前記基地局装置から受信する手段と、第２の物理上りリンク制御チャネルを前記第１の物理上りリンク制御チャネルを設定したサブフレームと同一のサブフレームに動的に設定する物理下りリンク制御チャネルを前記基地局装置から受信する手段と、前記活性化および／または非活性化を指示する情報に従って活性化した前記第１の物理上りリンク制御チャネル、および／または、前記第２の物理上りリンク制御チャネルを使用してＨＡＲＱにおける制御情報を前記基地局装置へ送信する手段と、を備えることを特徴としている。
【００３５】
（２０）また、基地局装置と移動局装置が複数のコンポーネントキャリアを集約して通信を行う移動通信システムにおける移動局装置であって、第１の物理上りリンク制御チャネルを準静的に設定する無線資源制御信号を前記基地局装置から受信する手段と、下りリンクコンポーネントキャリアの活性化および／または非活性化を指示する情報を前記基地局装置から受信する手段と、第２の物理上りリンク制御チャネルを前記第１の物理上りリンク制御チャネルを設定したサブフレームと同一のサブフレームに動的に設定する物理下りリンク制御チャネルを前記基地局装置から受信する手段と、前記活性化および／または非活性化を指示する情報に従って選択した前記第１の物理上りリンク制御チャネル、および／または、前記第２の物理上りリンク制御チャネルを使用してＨＡＲＱにおける制御情報を前記基地局装置へ送信する手段と、を備えることを特徴としている。
【００３６】
（２１）また、前記移動局装置は、前記ＨＡＲＱにおける制御情報をバンドリングして前記基地局装置へ送信することを特徴としている。
【００３７】
（２２）また、前記移動局装置は、前記ＨＡＲＱにおける制御情報を多重して前記基地局装置へ送信することを特徴としている。
【００３８】
（２３）また、前記ＨＡＲＱにおける制御情報は、下りリンクトランスポートブロックに対するＡＣＫ／ＮＡＣＫを示す情報であることを特徴としている。
【００３９】
（２４）また、前記ＨＡＲＱにおける制御情報は、移動局装置が、基地局装置から送信される物理下りリンク制御チャネルを検出できなかったことを示す情報であることを特徴としている。
【００４０】
（２５）また、基地局装置と移動局装置が複数のコンポーネントキャリアを集約して通信を行う移動通信システムにおける移動局装置の通信方法であって、第１の物理上りリンク制御チャネルを準静的に設定する無線資源制御信号を前記基地局装置から受信し、第２の物理上りリンク制御チャネルを前記第１の物理上りリンク制御チャネルを設定したサブフレームと同一のサブフレームに動的に設定する物理下りリンク制御チャネルを前記基地局装置から受信し、前記第１の物理上りリンク制御チャネルおよび前記第２の物理上りリンク制御チャネルを使用してＨＡＲＱにおける制御情報を前記基地局装置へ送信することを特徴としている。
【００４１】
（２６）また、基地局装置と移動局装置が複数のコンポーネントキャリアを集約して通信を行う移動通信システムにおける移動局装置の通信方法であって、第１の物理上りリンク制御チャネルを準静的に設定する無線資源制御信号を前記基地局装置から受信し、第２の物理上りリンク制御チャネルを前記第１の物理上りリンク制御チャネルを設定したサブフレームと同一のサブフレームに動的に設定する物理下りリンク制御チャネルを前記基地局装置から受信し、前記第１の物理上りリンク制御チャネルまたは前記第２の物理上りリンク制御チャネルを使用してＨＡＲＱにおける制御情報を前記基地局装置へ送信することを特徴としている。
【００４２】
（２７）また、基地局装置と移動局装置が複数のコンポーネントキャリアを集約して通信を行う移動通信システムにおける移動局装置の通信方法であって、第１の物理上りリンク制御チャネルを準静的に設定する無線資源制御信号を前記基地局装置から受信し、下りリンクコンポーネントキャリアの活性化および／または非活性化を指示する情報を前記基地局装置から受信し、第２の物理上りリンク制御チャネルを前記第１の物理上りリンク制御チャネルを設定したサブフレームと同一のサブフレームに動的に設定する物理下りリンク制御チャネルを前記基地局装置から受信し、前記活性化および／または非活性化を指示する情報に従って活性化した前記第１の物理上りリンク制御チャネル、および／または、前記第２の物理上りリンク制御チャネルを使用してＨＡＲＱにおける制御情報を前記基地局装置へ送信することを特徴としている。
【００４３】
（２８）また、基地局装置と移動局装置が複数のコンポーネントキャリアを集約して通信を行う移動通信システムにおける移動局装置の通信方法であって、第１の物理上りリンク制御チャネルを準静的に設定する無線資源制御信号を前記基地局装置から受信し、下りリンクコンポーネントキャリアの活性化および／または非活性化を指示する情報を前記基地局装置から受信し、第２の物理上りリンク制御チャネルを前記第１の物理上りリンク制御チャネルを設定したサブフレームと同一のサブフレームに動的に設定する物理下りリンク制御チャネルを前記基地局装置から受信し、前記活性化および／または非活性化を指示する情報に従って選択した前記第１の物理上りリンク制御チャネル、および／または、前記第２の物理上りリンク制御チャネルを使用してＨＡＲＱにおける制御情報を前記基地局装置へ送信することを特徴としている。
【発明の効果】
【００４４】
本発明によれば、複数のキャリア要素から構成される広帯域な周波数帯域を使用して通信を行う基地局装置と移動局装置が、ＨＡＲＱにおける制御情報を効率的に送受信することが可能となる。
【図面の簡単な説明】
【００４５】
【図１】物理チャネルの構成を概念的に示す図である。
【図２】本発明の実施形態に係る基地局装置の概略構成を示すブロック図である。
【図３】本発明の実施形態に係る移動局装置の概略構成を示すブロック図である。
【図４】第１の実施形態が適用可能な移動通信システムの例を示す図である。
【図５】第１の実施形態が適用可能な移動通信システムの例を示す別の図である。
【図６】第２の実施形態が適用可能な移動通信システムの例を示す図である。
【図７】従来の技術における周波数帯域集約された移動通信システムの例を説明する図である。
【図８】従来の技術における非対称周波数帯域集約された移動通信システムの例を説明する図である。
【発明を実施するための形態】
【００４６】
次に、本発明に係る実施形態について、図面を参照しながら説明する。図１は、本発明の実施形態におけるチャネルの一構成例を示す図である。下りリンクの物理チャネルは、物理報知チャネル（ＰＢＣＨ：Physical Broadcast Channel）、物理下りリンク制御チャネル（ＰＤＣＣＨ：Physical Downlink Control Channel）、物理下りリンク共用チャネル（ＰＤＳＣＨ：Physical Downlink Shared Channel）、物理マルチキャストチャネル（ＰＭＣＨ：Physical Multicast Channel）、物理制御フォーマット指示チャネル（ＰＣＦＩＣＨ：Physical Control Format Indicator Channel）、物理ハイブリッド自動再送要求指示チャネル（ＰＨＩＣＨ：Physical Hybrid ARQ Indicator Channel）によって構成される。上りリンクの物理チャネルは、物理上りリンク共用チャネル（ＰＵＳＣＨ：Physical Uplink Shared Channel）、物理上りリンク制御チャネル（ＰＵＣＣＨ：Physical Uplink Control Channel）、物理ランダムアクセスチャネル（ＰＲＡＣＨ：Physical Random Access Channel）によって構成される。
【００４７】
物理報知チャネル（ＰＢＣＨ）は、４０ミリ秒間隔で報知チャネル（ＢＣＨ）をマッピングする。４０ミリ秒のタイミングは、ブラインド検出（blind detection）される。すなわち、タイミング提示のために、明示的なシグナリングを行なわない。また、物理報知チャネル（ＰＢＣＨ）を含むサブフレームは、そのサブフレームだけで復号できる（自己復号可能：self-decodable）。
【００４８】
物理下りリンク制御チャネル（ＰＤＣＣＨ）は、物理下りリンク共用チャネル（ＰＤＳＣＨ）のリソース割り当て、下りリンクデータに対するハイブリッド自動再送要求（ＨＡＲＱ：Hybrid Automatic Repeat Request）情報、および、物理上りリンク共用チャネル（ＰＵＳＣＨ）のリソース割り当てである上りリンク送信許可を、移動局装置に通知（送信）するために使用されるチャネルである。ＰＤＤＣＨは、複数の制御チャネル要素（ＣＣＥ：Control Channel Element）によって構成され、移動局装置は、このＣＣＥで構成されるＰＤＣＣＨを検出することによって、基地局装置からのＰＤＣＣＨを受信する。このＣＣＥは、周波数、時間領域において分散している複数のリソースエレメントグループ（ＲＥＧ：Resource Element Group、mini-CCEとも呼ばれる）によって構成される。ここで、リソースエレメントとは、１ＯＦＤＭシンボル（時間成分）、１サブキャリア（周波数成分）で構成される単位リソースであり、例えば、ＲＥＧは、同一ＯＦＤＭシンボル内の周波数領域において、下りリンクパイロットチャネルを除いて、周波数領域で連続する４個の下りリンクのリソースエレメントによって構成される。また、例えば、１つのＰＤＣＣＨは、ＣＣＥを識別する番号（ＣＣＥインデックス）が連続する１個、２個、４個、８個のＣＣＥによって構成される。
【００４９】
ＰＤＣＣＨは、移動局装置ごと、種別ごとに別々に符号化（Separate Coding）される。すなわち、移動局装置は、複数のＰＤＣＣＨを検出して、下りリンクまたは上りリンクのリソース割り当てや、その他の制御信号を示す情報を取得する。各ＰＤＣＣＨには、フォーマットを識別可能なＣＲＣ（巡回冗長検査）の値が付与されており、移動局装置は、ＰＤＣＣＨが構成されうるＣＣＥのセットのそれぞれに対してＣＲＣを行い、ＣＲＣが成功したＰＤＣＣＨを取得する。これは、ブラインドデコーディング（blind decoding）とも呼称され、移動局装置が、このブラインドデコーディングを行うＰＤＣＣＨが構成されうるＣＣＥのセットの範囲は、検索領域（Search Space）と呼ばれる。すなわち、移動局装置は、検索領域内のＣＣＥに対して、ブラインドデコーディングを行い、ＰＤＣＣＨの検出を行う。
【００５０】
移動局装置は、ＰＤＣＣＨに物理下りリンク共用チャネル（ＰＤＳＣＨ）のリソース割り当てが含まれる場合、基地局装置からのＰＤＣＣＨによって指示されたリソース割り当てに応じて、物理下りリンク共用チャネル（ＰＤＳＣＨ）を使用してデータ（下りリンクデータ（下りリンク共用チャネル（ＤＬ−ＳＣＨ））、および／または、下りリンク制御データ（下りリンク制御情報））を受信する。すなわち、このＰＤＣＣＨは、下りリンクに対するリソース割り当てを行なう信号（以下、「下りリンク送信許可信号」または「下りリンクグラント」と呼称する。）である。また、移動局装置は、ＰＤＣＣＨに物理上りリンク共用チャネル（ＰＵＳＣＨ）のリソース割り当てが含まれる場合、基地局装置からのＰＤＣＣＨによって指示されたリソース割り当てに応じて、物理上りリンク共用チャネル（ＰＵＳＣＨ）を使用してデータ（上りリンクデータ（上りリンク共用チャネル（ＵＬ−ＳＣＨ））、および／または、上りリンク制御データ（上りリンク制御情報））を送信する。すなわち、このＰＤＣＣＨは、上りリンクに対するデータ送信を許可する信号（以下、「上りリンク送信許可信号」または「上りリンクグラント」と呼称する。）である。
【００５１】
物理下りリンク共用チャネル（ＰＤＳＣＨ）は、下りリンクデータ（下りリンク共用チャネル：ＤＬ−ＳＣＨ）またはページング情報（ページングチャネル：ＰＣＨ）を送信するために使用されるチャネルである。物理マルチキャストチャネル（ＰＭＣＨ）は、マルチキャストチャネル（ＭＣＨ）を送信するために利用するチャネルであり、下りリンク参照信号、上りリンク参照信号、物理下りリンク同期信号が別途配置される。
【００５２】
ここで、下りリンクデータ（ＤＬ−ＳＣＨ）とは、例えば、ユーザーデータの送信を示しており、ＤＬ−ＳＣＨは、トランスポートチャネルである。ＤＬ−ＳＣＨでは、ＨＡＲＱ、動的適応無線リンク制御がサポートされ、また、ビームフォーミングを利用可能である。ＤＬ−ＳＣＨは、動的なリソース割り当て、および、準静的なリソース割り当てがサポートされる。
【００５３】
物理上りリンク共用チャネル（ＰＵＳＣＨ）は、主に、上りリンクデータ（上りリンク共用チャネル：ＵＬ−ＳＣＨ）を送信するために使用されるチャネルである。また、基地局装置が、移動局装置をスケジューリングした場合には、上りリンク制御情報（上りリンク制御信号）もＰＵＳＣＨを使用して送信される。この上りリンク制御情報には、下りリンクのチャネル状態を示すチャネル状態情報ＣＳＩ（Channel State information、もしくは、Channel statistical information）や、下りリンクのチャネル品質識別子ＣＱＩ（Channel Quality Indicator）や、プレコーディングマトリックス識別子ＰＭＩ（Precoding Matrix Indicator）や、ランク識別子ＲＩ（Rank Indicator）や、ＰＤＣＣＨおよび／または下りリンクトランスポートブロックに対するＨＡＲＱにおける制御情報（ＡＣＫ／ＮＡＣＫを示す情報および／またはＤＴＸを示す情報）が含まれる。
【００５４】
ここで、上りリンクデータ（ＵＬ−ＳＣＨ）とは、例えば、ユーザーデータの送信を示しており、ＵＬ−ＳＣＨは、トランスポートチャネルである。ＵＬ−ＳＣＨでは、ＨＡＲＱ、動的適応無線リンク制御がサポートされ、また、ビームフォーミングを利用可能である。ＵＬ−ＳＣＨは、動的なリソース割り当て、および、準静的なリソース割り当てがサポートされる。
【００５５】
また、上りリンクデータ（ＵＬ−ＳＣＨ）および下りリンクデータ（ＤＬ−ＳＣＨ）には、基地局装置と移動局装置の間でやり取りされる無線資源制御信号（以下、「ＲＲＣシグナリング：Radio Resource Control Signaling」と呼称する。）、ＭＡＣ（Medium Access Control）コントロールエレメントなどが含まれていても良い。
【００５６】
物理上りリンク制御チャネル（ＰＵＣＣＨ）は、上りリンク制御情報（上りリンク制御信号）を送信するために使用されるチャネルである。ここで上りリンク制御情報とは、例えば、下りリンクのチャネル状態を示すチャネル状態情報ＣＳＩや、下りリンクのチャネル品質識別子ＣＱＩや、プレコーディングマトリックス識別子ＰＭＩや、ランク識別子ＲＩや、移動局装置が上りリンクデータを送信するためのリソースの割り当てを要求する（ＵＬ−ＳＣＨでの送信を要求する）スケジューリング要求（ＳＲ: Scheduling Request）や、ＰＤＣＣＨおよび／または下りリンクトランスポートブロックに対するＨＡＲＱにおける制御情報（ＡＣＫ／ＮＡＣＫを示す情報および／またはＤＴＸを示す情報）が含まれる。
【００５７】
物理制御フォーマット指示チャネル（ＰＣＦＩＣＨ）は、ＰＤＣＣＨのために使用されるＯＦＤＭシンボル数を移動局装置に通知するために利用するチャネルであり、各サブフレームで送信される。物理ハイブリッド自動再送要求指示チャネル（ＰＨＩＣＨ）は、上りリンクデータのＨＡＲＱに使用されるＡＣＫ／ＮＡＣＫを送信するために利用するチャネルである。物理ランダムアクセスチャネル（ＰＲＡＣＨ）は、ランダムアクセスプリアンブルを送信するために使用されるチャネルであり、ガードタイムを持つ。図１に示すように、本実施形態に係る移動通信システムは、基地局装置１００と、移動局装置２００と、から構成される。
【００５８】
［基地局装置の構成］
図２は、本発明の実施形態に係る基地局装置１００の概略構成を示すブロック図である。基地局装置１００は、データ制御部１０１と、送信データ変調部１０２と、無線部１０３と、スケジューリング部１０４と、チャネル推定部１０５と、受信データ復調部１０６と、データ抽出部１０７と、上位層１０８と、アンテナ１０９と、を含んで構成される。また、無線部１０３、スケジューリング部１０４、チャネル推定部１０５、受信データ復調部１０６、データ抽出部１０７、上位層１０８およびアンテナ１０９で受信部を構成し、データ制御部１０１、送信データ変調部１０２、無線部１０３、スケジューリング部１０４、上位層１０８およびアンテナ１０９で送信部を構成している。
【００５９】
アンテナ１０９、無線部１０３、チャネル推定部１０５、受信データ復調部１０６、データ抽出部１０７で上りリンクの物理層の処理を行なう。アンテナ１０９、無線部１０３、送信データ変調部１０２、データ制御部１０１で下りリンクの物理層の処理を行なう。
【００６０】
データ制御部１０１は、スケジューリング部１０４からトランスポートチャネルを受信する。データ制御部１０１は、トランスポートチャネルと、物理層で生成される信号およびチャネルを、スケジューリング部１０４から入力されるスケジューリング情報に基づいて、物理チャネルにマッピングする。以上のようにマッピングされた各データは、送信データ変調部１０２へ出力される。
【００６１】
送信データ変調部１０２は、送信データをＯＦＤＭ方式に変調する。送信データ変調部１０２は、データ制御部１０１から入力されたデータに対して、スケジューリング部１０４からのスケジューリング情報や、各ＰＲＢに対応する変調方式および符号化方式に基づいて、データ変調、符号化、入力信号の直列／並列変換、ＩＦＦＴ（Inverse Fast Fourier Transform：逆高速フーリエ変換）処理、ＣＰ（Cyclic Prefix）挿入、並びに、フィルタリングなどの信号処理を行ない、送信データを生成して、無線部１０３へ出力する。ここで、スケジューリング情報には、下りリンク物理リソースブロックＰＲＢ（Physical Resource Block）割り当て情報、例えば、周波数、時間から構成される物理リソースブロック位置情報が含まれ、各ＰＲＢに対応する変調方式および符号化方式には、例えば、変調方式：１６ＱＡＭ、符号化率：２／３コーディングレートなどの情報が含まれる。
【００６２】
無線部１０３は、送信データ変調部１０２から入力された変調データを無線周波数にアップコンバートして無線信号を生成し、アンテナ１０９を介して、移動局装置２００に送信する。また、無線部１０３は、移動局装置２００からの上りリンクの無線信号を、アンテナ１０９を介して受信し、ベースバンド信号にダウンコンバートして、受信データをチャネル推定部１０５と受信データ復調部１０６とに出力する。
【００６３】
スケジューリング部１０４は、媒体アクセス制御（ＭＡＣ：Medium Access Control）層の処理を行なう。スケジューリング部１０４は、論理チャネルとトランスポートチャネルのマッピング、下りリンクおよび上りリンクのスケジューリング（ＨＡＲＱ処理、トランスポートフォーマットの選択など）などを行なう。スケジューリング部１０４は、各物理層の処理部を統合して制御するため、スケジューリング部１０４と、アンテナ１０９、無線部１０３、チャネル推定部１０５、受信データ復調部１０６、データ制御部１０１、送信データ変調部１０２およびデータ抽出部１０７との間のインターフェースが存在する（ただし、図示しない）。
【００６４】
スケジューリング部１０４は、下りリンクのスケジューリングでは、移動局装置２００から受信したフィードバック情報（上りリンクのチャネル状態情報（ＣＳＩ、ＣＱＩ、ＰＭＩ、ＲＩ）や、下りリンクデータに対するＡＣＫ／ＮＡＣＫ情報など）、各移動局装置の使用可能なＰＲＢの情報、バッファ状況、上位層１０８から入力されたスケジューリング情報などに基づいて、各データを変調するための下りリンクのトランスポートフォーマット（送信形態、すなわち、物理リソースブロックの割り当ておよび変調方式および符号化方式など）の選定処理およびＨＡＲＱにおける再送制御および下りリンクに使用されるスケジューリング情報の生成を行なう。これら下りリンクのスケジューリングに使用されるスケジューリング情報は、データ制御部１０１へ出力される。
【００６５】
また、スケジューリング部１０４は、上りリンクのスケジューリングでは、チャネル推定部１０５が出力する上りリンクのチャネル状態（無線伝搬路状態）の推定結果、移動局装置２００からのリソース割り当て要求、各移動局装置２００の使用可能なＰＲＢの情報、上位層１０８から入力されたスケジューリング情報などに基づいて、各データを変調するための上りリンクのトランスポートフォーマット（送信形態、すなわち、物理リソースブロックの割り当ておよび変調方式および符号化方式など）の選定処理および上りリンクのスケジューリングに使用されるスケジューリング情報の生成を行なう。これら上りリンクのスケジューリングに使用されるスケジューリング情報は、データ制御部１０１へ出力される。
【００６６】
また、スケジューリング部１０４は、上位層１０８から入力された下りリンクの論理チャネルをトランスポートチャネルにマッピングし、データ制御部１０１へ出力する。また、スケジューリング部１０４は、データ抽出部１０７から入力された上りリンクで取得した制御データとトランスポートチャンネルを、必要に応じて処理した後、上りリンクの論理チャネルにマッピングし、上位層１０８へ出力する。
【００６７】
チャネル推定部１０５は、上りリンクデータの復調のために、上りリンク復調用参照信号（ＤＲＳ：Demodulation Reference Signal）から上りリンクのチャネル状態を推定し、その推定結果を受信データ復調部１０６に出力する。また、上りリンクのスケジューリングを行なうために、上りリンク測定用参照信号（ＳＲＳ：Sounding Reference Signal）から上りリンクのチャネル状態を推定し、その推定結果をスケジューリング部１０４に出力する。
【００６８】
受信データ復調部１０６は、ＯＦＤＭ方式、および／または、ＳＣ−ＦＤＭＡ方式に変調された受信データを復調するＯＦＤＭ復調部および／またはＤＦＴ−Ｓｐｒｅａｄ−ＯＦＤＭ（ＤＦＴ−Ｓ−ＯＦＤＭ）復調部を兼ねている。受信データ復調部１０６は、チャネル推定部１０５から入力された上りリンクのチャネル状態推定結果に基づいて、無線部１０３から入力された変調データに対し、ＤＦＴ変換、サブキャリアマッピング、ＩＦＦＴ変換、フィルタリング等の信号処理を行なって、復調処理を施し、データ抽出部１０７に出力する。
【００６９】
データ抽出部１０７は、受信データ復調部１０６から入力されたデータに対して、正誤を確認するとともに、確認結果（肯定信号ＡＣＫ／否定信号ＮＡＣＫ）をスケジューリング部１０４に出力する。また、データ抽出部１０７は、受信データ復調部１０６から入力されたデータからトランスポートチャネルと物理層の制御データとに分離して、スケジューリング部１０４に出力する。分離された制御データには、移動局装置２００から通知されたチャネル状態情報ＣＳＩや、下りリンクのチャネル品質識別子ＣＱＩ、プレコーディングマトリックス識別子ＰＭＩ、ランク識別子ＲＩや、ＨＡＲＱにおける制御情報、スケジューリング要求などが含まれている。
【００７０】
上位層１０８は、パケットデータ統合プロトコル（ＰＤＣＰ：Packet Data Convergence Protocol）層、無線リンク制御（ＲＬＣ：Radio Link Control）層、無線リソース制御（ＲＲＣ：Radio Resource Control）層の処理を行なう。上位層１０８は、下位層の処理部を統合して制御するため、上位層１０８と、スケジューリング部１０４、アンテナ１０９、無線部１０３、チャネル推定部１０５、受信データ復調部１０６、データ制御部１０１、送信データ変調部１０２およびデータ抽出部１０７との間のインターフェースが存在する（ただし、図示しない）。
【００７１】
上位層１０８は、無線リソース制御部１１０（制御部とも言う。）を有している。また、無線リソース制御部１１０は、各種設定情報の管理、システム情報の管理、ページング制御、各移動局装置の通信状態の管理、ハンドオーバーなどの移動管理、移動局装置ごとのバッファ状況の管理、ユニキャストおよびマルチキャストベアラの接続設定の管理、移動局識別子（ＵＥＩＤ）の管理などを行なっている。上位層１０８は、別の基地局装置への情報および上位ノードへの情報の授受を行なう。
【００７２】
［移動局装置の構成］
図３は、本発明の実施形態に係る移動局装置２００の概略構成を示すブロック図である。移動局装置２００は、データ制御部２０１と、送信データ変調部２０２と、無線部２０３と、スケジューリング部２０４と、チャネル推定部２０５と、受信データ復調部２０６と、データ抽出部２０７と、上位層２０８、アンテナ２０９と、を含んで構成されている。また、データ制御部２０１、送信データ変調部２０２、無線部２０３、スケジューリング部２０４、上位層２０８、アンテナ２０９で送信部を構成し、無線部２０３、スケジューリング部２０４、チャネル推定部２０５、受信データ復調部２０６、データ抽出部２０７、上位層２０８、アンテナ２０９で受信部を構成している。
【００７３】
データ制御部２０１、送信データ変調部２０２、無線部２０３、で上りリンクの物理層の処理を行なう。無線部２０３、チャネル推定部２０５、受信データ復調部２０６、データ抽出部２０７、で下りリンクの物理層の処理を行なう。
【００７４】
データ制御部２０１は、スケジューリング部２０４からトランスポートチャネルを受信する。トランスポートチャネルと、物理層で生成される信号およびチャネルを、スケジューリング部２０４から入力されるスケジューリング情報に基づいて、物理チャネルにマッピングする。このようにマッピングされた各データは、送信データ変調部２０２へ出力される。
【００７５】
送信データ変調部２０２は、送信データをＯＦＤＭ方式、および／または、ＳＣ−ＦＤＭＡ方式に変調する。送信データ変調部２０２は、データ制御部２０１から入力されたデータに対し、データ変調、ＤＦＴ（離散フーリエ変換）処理、サブキャリアマッピング、ＩＦＦＴ（逆高速フーリエ変換）処理、ＣＰ挿入、フィルタリングなどの信号処理を行ない、送信データを生成して、無線部２０３へ出力する。
【００７６】
無線部２０３は、送信データ変調部２０２から入力された変調データを無線周波数にアップコンバートして無線信号を生成し、アンテナ２０９を介して、基地局装置１００に送信する。また、無線部２０３は、基地局装置１００からの下りリンクのデータで変調された無線信号を、アンテナ２０９を介して受信し、ベースバンド信号にダウンコンバートして、受信データを、チャネル推定部２０５および受信データ復調部２０６に出力する。
【００７７】
スケジューリング部２０４は、媒体アクセス制御（ＭＡＣ：Medium Access Control）層の処理を行なう。スケジューリング部１０４は、論理チャネルとトランスポートチャネルのマッピング、下りリンクおよび上りリンクのスケジューリング（ＨＡＲＱ処理、トランスポートフォーマットの選択など）などを行なう。スケジューリング部２０４は、各物理層の処理部を統合して制御するため、スケジューリング部２０４と、アンテナ２０９、データ制御部２０１、送信データ変調部２０２、チャネル推定部２０５、受信データ復調部２０６、データ抽出部２０７および無線部２０３との間のインターフェースが存在する（ただし、図示しない）。
【００７８】
スケジューリング部２０４は、下りリンクのスケジューリングでは、基地局装置１００や上位層２０８からのスケジューリング情報（トランスポートフォーマットやＨＡＲＱ再送情報）などに基づいて、トランスポートチャネルおよび物理信号および物理チャネルの受信制御、ＨＡＲＱ再送制御および下りリンクのスケジューリングに使用されるスケジューリング情報の生成を行なう。これら下りリンクのスケジューリングに使用されるスケジューリング情報は、データ制御部２０１へ出力される。
【００７９】
スケジューリング部２０４は、上りリンクのスケジューリングでは、上位層２０８から入力された上りリンクのバッファ状況、データ抽出部２０７から入力された基地局装置１００からの上りリンクのスケジューリング情報（トランスポートフォーマットやＨＡＲＱ再送情報など）、および、上位層２０８から入力されたスケジューリング情報などに基づいて、上位層２０８から入力された上りリンクの論理チャネルをトランスポートチャネルにマッピングするためのスケジューリング処理および上りリンクのスケジューリングに使用されるスケジューリング情報の生成を行なう。なお、上りリンクのトランスポートフォーマットについては、基地局装置１００から通知された情報を利用する。これらスケジューリング情報は、データ制御部２０１へ出力される。
【００８０】
また、スケジューリング部２０４は、上位層２０８から入力された上りリンクの論理チャネルをトランスポートチャネルにマッピングし、データ制御部２０１へ出力する。また、スケジューリング部２０４は、チャネル推定部２０５から入力された下りリンクのチャネル状態情報ＣＳＩや、下りリンクのチャネル品質識別子ＣＱＩ、プレコーディングマトリックス識別子ＰＭＩ、ランク識別子ＲＩや、データ抽出部２０７から入力されたＣＲＣチェックの確認結果についても、データ制御部２０１へ出力する。また、スケジューリング部２０４は、データ抽出部２０７から入力された下りリンクで取得した制御データとトランスポートチャネルを、必要に応じて処理した後、下りリンクの論理チャネルにマッピングし、上位層２０８へ出力する。
【００８１】
チャネル推定部２０５は、下りリンクデータの復調のために、下りリンク参照信号（ＲＳ）から下りリンクのチャネル状態を推定し、その推定結果を受信データ復調部２０６に出力する。また、チャネル推定部２０５は、基地局装置１００に下りリンクのチャネル状態（無線伝搬路状態）の推定結果を通知するために、下りリンク参照信号（ＲＳ）から下りリンクのチャネル状態を推定し、この推定結果を下りリンクのチャネル状態情報ＣＳＩや、下りリンクのチャネル品質識別子ＣＱＩや、プレコーディングマトリックス識別子ＰＭＩや、ランク識別子ＲＩとして、スケジューリング部２０４に出力する。
【００８２】
受信データ復調部２０６は、ＯＦＤＭ方式に変調された受信データを復調する。受信データ復調部２０６は、チャネル推定部２０５から入力された下りリンクのチャネル状態推定結果に基づいて、無線部２０３から入力された変調データに対して、復調処理を施し、データ抽出部２０７に出力する。
【００８３】
データ抽出部２０７は、受信データ復調部２０６から入力されたデータに対して、ＣＲＣチェックを行ない、正誤を確認するとともに、確認結果（肯定応答ＡＣＫ／否定応答ＮＡＣＫ）をスケジューリング部２０４に出力する。また、データ抽出部２０７は、受信データ復調部２０６から入力されたデータからトランスポートチャネルと物理層の制御データに分離して、スケジューリング部２０４に出力する。分離された制御データには、下りリンクまたは上りリンクのリソース割り当てや上りリンクのＨＡＲＱ制御情報などのスケジューリング情報が含まれている。
【００８４】
上位層２０８は、パケットデータ統合プロトコル（ＰＤＣＰ：Packet Data Convergence Protocol）層、無線リンク制御（ＲＬＣ：Radio Link Control）層、無線リソース制御（ＲＲＣ：Radio Resource Control）層の処理を行なう。上位層２０８は、下位層の処理部を統合して制御するため、上位層２０８と、スケジューリング部２０４、アンテナ２０９、データ制御部２０１、送信データ変調部２０２、チャネル推定部２０５、受信データ復調部２０６、データ抽出部２０７および無線部２０３との間のインターフェースが存在する（ただし、図示しない）。
【００８５】
上位層２０８は、無線リソース制御部２１０（制御部とも言う）を有している。無線リソース制御部２１０は、各種設定情報の管理、システム情報の管理、ページング制御、自局の通信状態の管理、ハンドオーバーなどの移動管理、バッファ状況の管理、ユニキャストおよびマルチキャストベアラの接続設定の管理、移動局識別子（ＵＥＩＤ）の管理を行なう。
【００８６】
（第１の実施形態）
次に、基地局装置１００および移動局装置２００を用いた移動通信システムにおける第１の実施形態を説明する。第１の実施形態では、基地局装置は、第１のＰＵＣＣＨを準静的に移動局装置へ設定し、第２のＰＵＣＣＨを第１のＰＵＣＣＨを設定したサブフレームと同一のサブフレームに動的に移動局装置へ設定し、移動局装置は、第１のＰＵＣＣＨおよび第２のＰＵＣＣＨを使用してＨＡＲＱにおける制御情報を基地局装置へ送信することができる。また、基地局装置は、第１のＰＵＣＣＨを準静的に移動局装置へ設定し、第２のＰＵＣＣＨを第１のＰＵＣＣＨを設定したサブフレームと同一のサブフレームに動的に移動局装置へ設定し、移動局装置は、第１のＰＵＣＣＨまたは第２のＰＵＣＣＨを使用してＨＡＲＱにおける制御情報を基地局装置へ送信することができる。この際、移動局装置は、ＨＡＲＱにおける制御情報をバンドリングして（bundling：束にして、塊にして）、基地局装置へ送信することができる。また、移動局装置は、ＨＡＲＱにおける制御情報を多重して（multiplexing、複数ビットを使用して）、基地局装置へ送信することができる。ここで、移動局装置が基地局装置へ送信するＨＡＲＱにおける制御情報（ＨＡＲＱにおける制御信号）とは、基地局装置から送信されるＰＤＣＣＨおよび／または下りリンクトランスポートブロックに対するＡＣＫ／ＮＡＣＫを示す情報（信号）および／またはＤＴＸを示す情報（信号）のことである。ＤＴＸとは、移動局装置が基地局装置からのＰＤＣＣＨを検出できなかったことを示す情報（信号）である。
【００８７】
以下、第１の実施形態では、周波数帯域は、帯域幅（Ｈｚ）で定義されているが、周波数と時間で構成されるリソースブロック（ＲＢ）の数で定義されても良い。本実施形態におけるキャリア要素（以下、「キャリアコンポーネント」、「要素キャリア」、「コンポーネントキャリア」とも呼称される）とは、基地局装置と移動局装置が、広帯域な周波数帯域（システム帯域でも良い）を使用して通信を行なう際に集約される（狭帯域な）周波数帯域を示している。基地局装置と移動局装置は、複数のキャリア要素を集約することによって広帯域な周波数帯域を構成し、これら複数のキャリア要素を複合的に使用することによって、高速なデータ通信（情報の送受信）を実現することができる(周波数帯域集約）。例えば、基地局装置と移動局装置は、２０ＭＨｚの帯域幅を持った５つのキャリア要素を集約して、広帯域な１００ＭＨｚの帯域幅を持った周波数帯域を構成し、これら５つのキャリア要素を複合的に使用して通信を行うことができる。
【００８８】
キャリア要素とは、この広帯域な周波数帯域（例えば、１００ＭＨｚの帯域幅を持った周波数帯域）を構成する（狭帯域な）周波数帯域（例えば、２０ＭＨｚの帯域幅を持った周波数帯域）それぞれのことを示している。また、キャリア要素とは、この広帯域な周波数帯域を構成する（狭帯域な）周波数帯域それぞれの（中心）キャリア周波数のことを示している。すなわち、下りリンクのキャリア要素は、基地局装置と移動局装置が、下りリンクの情報を送受信する際に使用可能な周波数帯域の中の一部の帯域（幅）を有し、上りリンクのキャリア要素は、基地局装置と移動局装置が、上りリンクの情報を送受信する際に使用可能な周波数帯域の中の一部の帯域（幅）を有している。また、キャリア要素は、ある特定の物理チャネル（例えば、ＰＤＣＣＨ、ＰＤＳＣＨ、ＰＵＣＣＨ、ＰＵＳＣＨなど）が構成される単位として定義されてもよい。
【００８９】
ここで、キャリア要素は、連続な周波数帯域に配置されていても、不連続な周波数帯域に配置されていてもよく、連続および／または不連続な周波数帯域である複数のキャリア要素を集約することによって、広帯域な周波数帯域を構成することができる。さらに、下りリンクのキャリア要素によって構成される下りリンクの通信に使用される周波数帯域（ＤＬシステム帯域、ＤＬシステム帯域幅でも良い）と、上りリンクのキャリア要素によって構成される上りリンクの通信に使用される周波数帯域（ＵＬシステム帯域、ＵＬシステム帯域幅でも良い）は、同じ帯域幅である必要はない。基地局装置と移動局装置は、下りリンクの通信に使用される周波数帯域と上りリンクの通信に使用される周波数帯域が、異なる帯域幅であったとしても、キャリア要素を複合的に使用して通信を行うことができる（非対称周波数帯域集約）。
【００９０】
図４は、第１の実施形態が適用可能な移動通信システムの例を示す図である。図４は、第１の実施形態を説明する例として、１００ＭＨｚの帯域幅を持った下りリンクの通信に使用される周波数帯域が、それぞれ２０ＭＨｚの帯域幅を持った５つの下りリンクのキャリア要素（ＤＣＣ１、ＤＣＣ２、ＤＣＣ３、ＤＣＣ４、ＤＣＣ５）によって構成されていることを示している。また、１００ＭＨｚの帯域幅を持った上りリンクの通信に使用される周波数帯域が、それぞれ２０ＭＨｚの帯域幅を持った５つの上りリンクのキャリア要素（ＵＣＣ１、ＵＣＣ２、ＵＣＣ３、ＵＣＣ４、ＵＣＣ５）によって構成されていることを示している。図４において、下りリンク／上りリンクのキャリア要素のそれぞれには下りリンク／上りリンクのチャネルが配置される。ここで、図４において、ＰＤＣＣＨ、ＰＤＳＣＨ、ＰＵＣＣＨ、ＰＵＳＣＨ等の下りリンク／上りリンクのチャネルのいずれかが配置されない下りリンク／上りリンクのキャリア要素が存在してもよい。
【００９１】
図４において、基地局装置は、下りリンクのキャリア要素それぞれで複数のＰＤＣＣＨを使用して、同一サブフレームで複数のＰＤＳＣＨを設定することができる（割り当てることができる）。例えば、基地局装置は、ＤＣＣ１、ＤＣＣ２、ＤＣＣ３、ＤＣＣ４、ＤＣＣ５それぞれで、５つのＰＤＣＣＨ（黒塗りで示される４つのＰＤＣＣＨと斜線で示される１つのＰＤＣＣＨ）を使用して、同一サブフレームで、ＤＣＣ１、ＤＣＣ２、ＤＣＣ３、ＤＣＣ４、ＤＣＣ５それぞれのＰＤＳＣＨを設定することができる。ここで、基地局装置は、下りリンクの１つのキャリア要素内に複数のＰＤＣＣＨを配置して（それぞれ独立にコーディングされた複数のＰＤＣＣＨを使用して）、複数のＰＤＳＣＨを設定することもできる。例えば、基地局装置は、ＤＣＣ３内に配置した３つのＰＤＣＣＨを使用して、同一サブフレームで、３つのＰＤＳＣＨを設定することができる（例えば、ＤＣＣ１、ＤＣＣ２、ＤＣＣ４それぞれのＰＤＳＣＨを設定することができる）。
【００９２】
ここで、基地局装置は、下りリンクの１つのキャリア要素内に配置された複数のＰＤＣＣＨを使用して複数のＰＤＳＣＨの設定するために、複数のＰＤＣＣＨそれぞれにコンポーネントキャリア識別子情報（以下、「CII：Carrier Indicator Information」、もしくは、「CIF：Carrier Indicator Field」とも呼称される）を含めて、移動局装置へ送信する。すなわち、基地局装置は、複数のＰＤＣＣＨそれぞれに、どのキャリア要素のＰＤＳＣＨを割り当てているのかを示すコンポーネントキャリア識別子情報を含めて移動局装置へ送信することができる。例えば、基地局装置は、ＤＣＣ３で送信される３つのＰＤＣＣＨそれぞれに、ＤＣＣ１のＰＤＳＣＨを設定することを示すコンポーネントキャリア識別子情報、ＤＣＣ２のＰＤＳＣＨを設定することを示すコンポーネントキャリア識別子情報、ＤＣＣ４のＰＤＳＣＨを設定することを示すコンポーネントキャリア識別子情報を含めて、移動局装置へ送信することができる。
【００９３】
さらに、基地局装置は、下りリンクのキャリア要素それぞれの複数のＰＤＳＣＨを使用して、同一サブフレームで、複数の下りリンクトランスポートブロックを移動局装置へ送信することができる。例えば、基地局装置は、ＤＣＣ１、ＤＣＣ２、ＤＣＣ３、ＤＣＣ４、ＤＣＣ５の５つのＰＤＳＣＨを使用して、同一サブフレームで、（最大５つまでの）下りリンクトランスポートブロックを移動局装置へ送信することができる。
【００９４】
また、図４において、移動局装置は、上りリンクのキャリア要素それぞれの複数のＰＵＳＣＨを使用して、同一サブフレームで、複数の上りリンクトランスポートブロックを基地局装置へ送信することができる。例えば、移動局装置は、ＵＣＣ１、ＵＣＣ２、ＵＣＣ３、ＵＣＣ４、ＵＣＣの５つのＰＵＳＣＨを使用して、同一サブフレームで、（最大５つまでの）上りリンクトランスポートブロックを基地局装置へ送信することができる。
【００９５】
さらに、図４において、移動局装置は、基地局装置から送信される（複数の）ＰＤＣＣＨおよび／または（複数の）下りリンクトランスポートブロックに対するＨＡＲＱにおける制御情報を、基地局装置へ送信することができる。例えば、移動局装置は、基地局装置から送信される５つのＰＤＣＣＨおよび／または５つの下りリンクトランスポートブロックに対するＨＡＲＱにおける制御情報を、複数のＰＵＣＣＨ（例えば、５つのＰＵＣＣＨ、斜線、格子線、網線、点模様、横線で示されるＰＵＣＣＨ）を使用して、同一サブフレームで、基地局装置へ送信することができる。また、移動局装置は、基地局装置から送信される５つのＰＤＣＣＨおよび／または５つの下りリンクトランスポートブロックに対するＨＡＲＱにおける制御情報を、１つのＰＵＣＣＨ（例えば、斜線、格子線、網線、点模様、横線で示されるＰＵＣＣＨのいずれかのＰＵＣＣＨ）を使用して、バンドリング、または、多重して、基地局装置へ送信することができる。
【００９６】
さらに、移動局装置は、基地局装置から送信される５つのＰＤＣＣＨおよび／または５つの下りリンクトランスポートブロックに対するＨＡＲＱにおける制御情報を、部分的に（partiallyに）バンドリング、または、多重して、基地局装置へ送信することもできる。例えば、移動局装置は、ＤＣＣ１、ＤＣＣ２、ＤＣＣ３で送信されたＰＤＣＣＨおよび／または下りリンクトランスポートブロックに対するＨＡＲＱにおける制御情報を、部分的に、バンドリング、または、多重する。また、移動局装置は、ＤＣＣ４、ＤＣＣ５で送信されたＰＤＣＣＨおよび／または下りリンクトランスポートブロックに対するＨＡＲＱにおける制御情報を、部分的に、バンドリング、または、多重する。移動局装置は、部分的にバンドリング、または、多重した、これらのＨＡＲＱにおける制御情報を、複数のＰＵＣＣＨ（例えば、２つのＰＵＣＣＨ、斜線、格子線で示されるＰＵＣＣＨ）を使用して、同一サブフレームで、基地局装置へ送信することもできる。
【００９７】
ここで、移動局装置が、ＨＡＲＱにおける制御情報をバンドリングして基地局装置へ送信する場合、（複数の）ＰＤＣＣＨおよび／または（複数の）下りリンクトランスポートブロックそれぞれに対するＨＡＲＱにおける制御情報から、１つのＨＡＲＱにおける制御情報を算出（生成）し、算出した１つのＨＡＲＱにおける制御情報を基地局装置へ送信する。例えば、移動局装置は、（複数の）ＰＤＣＣＨおよび／または（複数の）下りリンクトランスポートブロックそれぞれに対するＤＴＸおよび／またはＡＣＫ／ＮＡＣＫを示す情報（複数のＨＡＲＱにおける制御情報）に対する論理和や論理積を算出し、算出した制御情報（１つのＨＡＲＱにおける制御情報）を基地局装置へ送信することができる。例えば、移動局装置は、基地局装置からＤＣＣ１、ＤＣＣ２、ＤＣＣ３、ＤＣＣ４、ＤＣＣ５で送信されるＰＤＣＣＨおよび／または下りリンクトランスポートブロックそれぞれに対するＤＴＸおよび／またはＡＣＫ／ＮＡＣＫを示す情報から、論理和や論理積を算出し、算出した制御情報を基地局装置へ送信することができる。
【００９８】
また、移動局装置が、ＨＡＲＱにおける制御情報を多重して基地局装置へ送信する場合、（複数の）ＰＤＣＣＨおよび／または（複数の）下りリンクトランスポートブロックそれぞれに対するＨＡＲＱにおける制御情報のすべての組み合わせを表現する複数の制御情報を、基地局装置へ送信する（すべての組み合わせを表現するために必要な情報以下の複数の制御情報を基地局装置へ送信しても良い）。例えば、移動局装置は、（複数の）ＰＤＣＣＨおよび／または（複数の）下りリンクトランスポートブロックそれぞれに対するＤＴＸおよび／またはＡＣＫ／ＮＡＣＫを示す情報の組み合わせを、複数ビットを用いて表現し、基地局装置へ送信することができる。例えば、移動局装置は、基地局装置からＤＣＣ１、ＤＣＣ２、ＤＣＣ３、ＤＣＣ４、ＤＣＣ５で送信されるＰＤＣＣＨおよび／または下りリンクトランスポートブロックそれぞれに対するＤＴＸおよび／またはＡＣＫ／ＮＡＣＫを示す情報の組み合わせを、複数ビットを用いて表現し、基地局装置へ送信することができる。
【００９９】
また、図４において、基地局装置は、移動局装置がＨＡＲＱの制御情報を送信するための上りリンクのキャリア要素を設定（指定）することができる。例えば、基地局装置は、移動局装置がＨＡＲＱの制御情報を送信するための上りリンクのキャリア要素を、ＲＲＣシグナリングを使用して準静的に設定することができる。例えば、基地局装置は、移動局装置がＨＡＲＱの制御情報を送信するためのＰＵＣＣＨが配置される上りリンクのキャリア要素を、ＲＲＣシグナリングを使用して準静的に設定することができる。図４では、例として、基地局装置が、移動局装置がＨＡＲＱにおける制御情報を送信するためのＰＵＣＣＨが配置される上りリンクのキャリア要素として、ＵＣＣ３を設定していることを示している。ここで、基地局装置は、移動局装置がＨＡＲＱにおける制御情報を送信するための上りリンクのキャリア要素として、複数の上りリンクのキャリア要素を設定することもできる。
【０１００】
図４において、基地局装置は、移動局装置が（複数の）ＰＤＣＣＨおよび／または（複数の）下りリンクトランスポートブロックに対するＨＡＲＱにおける制御情報を送信するための（複数の）ＰＵＣＣＨのリソースを移動局装置へ設定する（割り当てる）。以下、本実施形態では、説明を分かり易くするために、基地局装置が移動局装置へ準静的に設定する（割り当てる）ＰＵＣＣＨを第１のＰＵＣＣＨと記載し、基地局装置が移動局装置へ動的に設定する（割り当てる）ＰＵＣＣＨを第２のＰＵＣＣＨと記載する。図４では、基地局装置が、第１のＰＵＣＣＨ（格子線、網線、点模様、横線で示されるＰＵＣＣＨ）を準静的に移動局装置へ設定し、第２のＰＵＣＣＨ（斜線で示されるＰＵＣＣＨ）を第１のＰＵＣＣＨを設定したサブフレームと同一のサブフレームに動的に移動局装置へ設定していることを示している。
【０１０１】
すなわち、基地局装置は、例えば、ＲＲＣシグナリングを使用して第１のＰＵＣＣＨ（格子線、網線、点模様、横線で示されるＰＵＣＣＨ）を準静的に移動局装置へ設定する（割り当てる）ことができる。ここで、基地局装置は、それぞれの下りリンクのキャリア要素とそれぞれの第１のＰＵＣＣＨのリソースをリンクさせて（対応させて）移動局装置へ設定することができる。図４では、基地局装置は、ＤＣＣ１と格子線で示される第１のＰＵＣＣＨをリンクさせて、ＤＣＣ２と網線で示される第１のＰＵＣＣＨをリンクさせて、ＤＣＣ４と点模様で示される第１のＰＵＣＣＨをリンクさせて、ＤＣＣ５と横線で示される第１のＰＵＣＣＨをリンクさせて、それぞれの第１のＰＵＣＣＨを移動局装置へ設定していることを示している。すなわち、基地局装置は、移動局装置がＨＡＲＱにおける制御情報を送信するための第１のＰＵＣＣＨのセットを、準静的に移動局装置へ設定する（割り当てる）ことができる。ここで、図４では、基地局装置は、移動局装置に対して４つの第１のＰＵＣＣＨのセットを設定しているが、基地局装置は、第１のＰＵＣＣＨのセットとして、いくつのセットを設定しても良い（第１のＰＵＣＣＨのセットのサイズ（数）は、設定可能である）。例えば、基地局装置は、セル内の移動局装置の能力や、移動局装置と通信する際のキャリア要素の数に応じて、第１のＰＵＣＣＨのセット（数）を変更することができる。例えば、基地局装置は、３つの下りリンクのキャリア要素を使用して移動局装置と通信を行う際には、２つの第１のＰＵＣＣＨを移動局装置に対して設定することができる。基地局装置は、設定可能な（セットのサイズ（数）を変更可能な）第１のＰＵＣＣＨを純静的に移動局装置へ設定することができる。
【０１０２】
また、基地局装置は、それぞれの下りリンクのキャリア要素で送信されるＰＤＳＣＨとそれぞれの第１のＰＵＣＣＨのリソースをリンクさせて（対応させて）移動局装置へ設定することができる。例えば、図４において、基地局装置は、ＤＣＣ１で送信されるＰＤＳＣＨと格子線で示される第１のＰＵＣＣＨをリンクさせて、ＤＣＣ２で送信されるＰＤＳＣＨと網線で示される第１のＰＵＣＣＨをリンクさせて、ＤＣＣ４で送信されるＰＤＳＣＨと点模様で示される第１のＰＵＣＣＨをリンクさせて、ＤＣＣ５で送信されると横線で示される第１のＰＵＣＣＨをリンクさせて、それぞれの第１のＰＵＣＣＨを移動局装置へ設定していることを示している。ここで、図４では、基地局装置は、移動局装置に対して４つの第１のＰＵＣＣＨのセットを設定しているが、基地局装置は、第１のＰＵＣＣＨのセットとして、いくつのセットを設定しても良い（第１のＰＵＣＣＨのセットのサイズ（数）は、設定可能である）。
【０１０３】
さらに、基地局装置は、例えば、ＰＤＣＣＨに関連付けて第２のＰＵＣＣＨ（斜線で示されるＰＵＣＣＨ）を動的に移動局装置へ設定する（割り当てる）ことができる。例えば、基地局装置は、下りリンクのキャリア要素内に配置されたＰＤＣＣＨ（斜線で示されるＰＤＣＣＨ）のＰＤＣＣＨリソース領域（ＰＤＣＣＨリソース）における位置に関連付けて、第２のＰＵＣＣＨを動的に設定することができる。すなわち、基地局装置は、ＰＤＣＣＨをＰＤＣＣＨリソース領域のどの位置に配置するのかに関連付けて、ＰＵＣＣＨリソース領域（ＰＵＣＣＨリソース）のどの位置に配置された第２のＰＵＣＣＨを使用して、ＨＡＲＱにおける制御情報を送信するのかを移動局装置に対して指示することができる。ここで、ＰＵＣＣＨリソース領域は、例えば、基地局装置によって、報知チャネル（報知情報）を使用して、セル固有に設定することができる。また、ＰＵＣＣＨリソース領域は、例えば、基地局装置によって、ＲＲＣシグナリングを使用して、移動局装置固有に設定することができる。
【０１０４】
すなわち、移動局装置は、下りリンクのキャリア要素内に配置されたＰＤＣＣＨがＰＤＣＣＨ領域内にどのように配置されているのかに応じて、ＰＵＣＣＨ領域内の第２のＰＵＣＣＨに、ＨＡＲＱにおける制御情報を配置して基地局装置へ送信することができる。ここで、下りリンクのキャリア要素内に配置されるＰＤＣＣＨと、上りリンクのキャリア要素内に配置される第２のＰＵＣＣＨの対応は、例えば、ＰＤＣＣＨを構成するＣＣＥの先頭のＣＣＥインデックスと、第２のＰＵＣＣＨのインデックスを対応付けることによって規定される（図４では、斜線で示されるＰＤＣＣＨを構成するＣＣＥの先頭のＣＣＥインデックスと、斜線で示される第２のＰＵＣＣＨのインデックスが対応していることを示している）。
【０１０５】
また、基地局装置は、ＰＤＣＣＨが配置されるそれぞれの下りリンクのキャリア要素と第２のＰＵＣＣＨが配置される１つの上りリンクのキャリア要素のリンク（対応付け）を、報知情報（報知チャネル）を使用して、セル固有に設定することができる。さらに、基地局装置は、ＰＤＣＣＨが配置されるそれぞれの下りリンクのキャリア要素と第２のＰＵＣＣＨが配置される１つの上りリンクのキャリア要素のリンク（対応付け）を、ＲＲＣシグナリングを使用して、移動局装置固有に設定することができる。すなわち、図４では、基地局装置が、報知情報またはＲＲＣシグナリングを使用して、ＤＣＣ３とＵＣＣ３をリンクさせていることを示している。例えば、図４において、基地局装置によってＤＣＣ２とＵＣＣ３がリンクされた場合には、基地局装置がＤＣＣ２に配置するＰＤＣＣＨのＰＤＣＣＨリソース領域における位置に関連付けて、ＵＣＣ３に第２のＰＵＣＣＨが設定される。
【０１０６】
すなわち、基地局装置によって動的に設定される第２のＰＵＣＣＨは、報知情報またはＲＲＣシグナリングによってリンクされた下りリンクのキャリア要素と上りリンクのキャリア要素の間でのみ関連付けられる。ここで、図４では、基地局装置は、１つの下りリンクのキャリア要素（ＤＣＣ３）と１つの上りリンクのキャリア要素（ＵＣＣ３）のみをリンクさせているが、基地局装置は、複数の下りリンクのキャリア要素と複数の上りリンクのキャリア要素をリンクさせることもできる。例えば、図４において、基地局装置は、ＤＣＣ２とＵＣＣ２をリンクさせ、ＤＣＣ３とＵＣＣ４をリンクさせることができる。この際、下りリンクのキャリア要素に配置されるＰＤＣＣＨと上りリンクのキャリア要素に配置される第２のＰＵＣＣＨは、リンクされた下りリンクのキャリア要素と上りリンクのキャリア要素の間（ＤＣＣ２とＵＣＣ２、ＤＣＣ３とＵＣＣ４）でのみ関連付けられる。
【０１０７】
図４において、基地局装置は、ＲＲＣシグナリングを使用して第１のＰＵＣＣＨ（格子線、網線、点模様、横線で示されるＰＵＣＣＨ）を準静的に移動局装置へ設定し（割り当て）、第１のＰＵＣＣＨを割り当てたサブフレームと同一のサブフレームに第２のＰＵＣＣＨ（斜線で示されるＰＵＣＣＨ）を動的に移動局装置へ設定する（割り当てる）。移動局装置は、（複数の）ＰＤＣＣＨおよび／または（複数の）下りリンクトランスポートブロックに対するＨＡＲＱにおける制御情報を、上述したように、複数のＰＵＣＣＨ、または、１つのＰＵＣＣＨを使用して基地局装置へ送信する。すなわち、移動局装置は、基地局装置によって設定された第１のＰＵＣＣＨおよび第２のＰＵＣＣＨを使用して、ＨＡＲＱにおける制御情報を基地局装置へ送信することができる。また、移動局装置は、基地局装置によって割り当てられた第１のＰＵＣＣＨもしくは第２のＰＵＣＣＨを使用して、ＨＡＲＱにおける制御情報を基地局装置へ送信することができる。この際、移動局装置は、ＨＡＲＱにおける制御情報をバンドリングして、基地局装置へ送信することができる。また、ＨＡＲＱにおける制御情報を多重して、基地局装置へ送信することができる。
【０１０８】
さらに、基地局装置が、移動局装置へ準静的に設定する第１のＰＵＣＣＨについて説明する。図４において、基地局装置は、ＲＲＣシグナリングを使用して準静的に割り当てる第１のＰＵＣＣＨ（格子線、網線、点模様、横線で示されるＰＵＣＣＨ）に対して、グループスケジューリングを適用することができる。すなわち、基地局装置は、複数の移動局装置に対して第１のＰＵＣＣＨを設定することができ、第１のＰＵＣＣＨを複数の移動局装置で共有させることができる。図４では、基地局装置が、格子線、網線、点模様、横線で示される第１のＰＵＣＣＨに対してグループスケジューリングが適用し、それぞれの第１のＰＵＣＣＨが、複数の移動局装置によって共有されていることが示されている。図４において、基地局装置によって動的に設定されている第２のＰＵＣＣＨは、ある移動局装置に対して動的にスケジュールされていることを示している（ダイナミックスケジューリングが適用されている）。
【０１０９】
同様に、図５は、第１の実施形態が適用可能な移動通信システムの別の例を示す図である。図５では、１００ＭＨｚの帯域幅を持った下りリンクの通信に使用される周波数帯域が、それぞれ２０ＭＨｚの帯域幅を持った５つの下りリンクのキャリア要素（ＤＣＣ１、ＤＣＣ２、ＤＣＣ３、ＤＣＣ４、ＤＣＣ５）によって構成されていることを示している。また、１００ＭＨｚの帯域幅を持った上りリンクの通信に使用される周波数帯域が、それぞれ２０ＭＨｚの帯域幅を持った５つの上りリンクのキャリア要素（ＵＣＣ１、ＵＣＣ２、ＵＣＣ３、ＵＣＣ４、ＵＣＣ５）によって構成されていることを示している。
【０１１０】
図５が図４と異なる点は、基地局装置が、１つの下りリンクのキャリア要素（ＤＣＣ３）内で複数のＰＤＣＣＨ（斜線、網線で示されるＰＤＣＣＨ）を使用して、複数のＰＤＳＣＨを設定している（割り当てている）点である。上述したように、基地局装置は、１つの下りリンクのキャリア要素内で送信する複数のＰＤＣＣＨそれぞれに、コンポーネントキャリア識別子情報を含めて移動局装置へ送信することによって、ＰＤＣＣＨを送信した下りリンクのキャリア要素と同一の下りリンクのキャリア要素、または、異なる下りリンクのキャリア要素に配置される複数のＰＤＳＣＨを設定する（割り当てる）ことができる。図５では、例として、基地局装置が、ＤＣＣ３で複数のＰＤＣＣＨ（斜線、網線で示されるＰＤＣＣＨ）を送信し、ＤＣＣ３、ＤＣＣ４それぞれのＰＤＳＣＨを設定していることを示している。
【０１１１】
図５において、基地局装置は、移動局装置が（複数の）ＰＤＣＣＨおよび／または（複数の）下りリンクトランスポートブロックに対するＨＡＲＱにおける制御情報を送信するための（複数の）ＰＵＣＣＨのリソースを設定する（割り当てる）。図５では、基地局装置が、第１のＰＵＣＣＨ（格子線、点模様、横線で示されるＰＵＣＣＨ）を準静的に移動局装置へ設定し、第２のＰＵＣＣＨ（斜線、網線で示されるＰＵＣＣＨ）を第１のＰＵＣＣＨを設定したサブフレームと同一のサブフレームに動的に移動局装置へ設定していることを示している。
【０１１２】
すなわち、図５において、基地局装置は、ＲＲＣシグナリングを使用して第１のＰＵＣＣＨ（格子線、点模様、横線で示されるＰＵＣＣＨ）を準静的に移動局装置へ設定することができる。ここで、基地局装置は、それぞれの下りリンクのキャリア要素とそれぞれの第１のＰＵＣＣＨのリソースをリンクさせて（対応させて）移動局装置へ設定する。図５では、例として、基地局装置が、ＤＣＣ１と格子線で示される第１のＰＵＣＣＨをリンクさせ、ＤＣＣ２と点模様で示される第１のＰＵＣＣＨをリンクさせ、ＤＣＣ５と横線で示される第１のＰＵＣＣＨをリンクさせて、それぞれの第１のＰＵＣＣＨを移動局装置へ設定していることを示している。ここで、上述したように、基地局装置は、移動局装置がＨＡＲＱにおける制御情報を送信するための第１のＰＵＣＣＨのセットを、準静的に移動局装置へ設定する（割り当てる）ことができる。すなわち、図５では、基地局装置は、移動局装置に対して３つの第１のＰＵＣＣＨのセットを設定しているが、基地局装置は、第１のＰＵＣＣＨのセットとして、いくつのセットを設定しても良い（第１のＰＵＣＣＨのセットのサイズ（数）は、設定可能である）。基地局装置は、設定可能な（セットのサイズ（数）を変更可能な）第１のＰＵＣＣＨを純静的に移動局装置へ設定することができる。
【０１１３】
また、基地局装置は、ＰＤＣＣＨに関連付けて第２のＰＵＣＣＨ（斜線、網線で示されるＰＵＣＣＨ）を動的に移動局装置へ設定する（割り当てる）ことができる。すなわち、基地局装置は、ＤＣＣ３で送信される複数のＰＤＣＣＨ（斜線、網線で示されるＰＤＣＣＨ）それぞれで、ＤＣＣ３に配置される複数の第２のＰＵＣＣＨ（斜線、網線で示されるＰＵＣＣＨ）を設定することができる。図５では、基地局装置は、斜線で示されるＰＤＣＣＨに関連付けて、斜線で示される第２のＰＵＣＣＨを動的に移動局装置へ設定し、網線で示されるＰＤＣＣＨに関連付けて、網線で示される第２のＰＵＣＣＨを動的に移動局装置へ設定していることを示している。
【０１１４】
ここで、基地局装置は、報知情報またはＲＲＣシグナリングを使用して、ＰＤＣＣＨが配置される下りリンクのキャリア要素と、第２のＰＵＣＣＨが配置される上りリンクのキャリア要素をリンク（対応付け）させている。すなわち、図５において、基地局装置は、ＤＣＣ３とＵＣＣ３をリンクさせ、ＤＣＣ３に配置する複数のＰＤＣＣＨそれぞれ（斜線、網線で示されるＰＤＣＣＨ）のＰＤＣＣＨ領域における位置に関連付けて、ＵＣＣ３に配置される複数の第２のＰＵＣＣＨそれぞれ（斜線、網線で示されるＰＵＣＣＨ）を設定することができる。すなわち、基地局装置からの報知情報またはＲＲＣシグナリングによってリンクされた、下りリンクの１つのキャリア要素と上りリンクの１つのキャリア要素において、複数のＰＤＣＣＨそれぞれと複数のＰＵＳＣＨそれぞれが動的に関連付けられる。
【０１１５】
移動局装置は、（複数の）ＰＤＣＣＨおよび／または（複数の）下りリンクトランスポートブロックに対するＨＡＲＱにおける制御情報を、上述したように、複数のＰＵＣＣＨ、もしくは、１つのＰＵＣＣＨを使用して基地局装置へ送信する。すなわち、移動局装置は、基地局装置によって割り当てられた第１のＰＵＣＣＨおよび第２のＰＵＣＣＨを使用して、ＨＡＲＱにおける制御情報を基地局装置へ送信することができる。また、移動局装置は、基地局装置によって割り当てられた第１のＰＵＣＣＨもしくは第２のＰＵＣＣＨを使用して、ＨＡＲＱにおける制御情報を基地局装置へ送信することができる。この際、移動局装置は、ＨＡＲＱにおける制御情報をバンドリングして、基地局装置へ送信することができる。また、ＨＡＲＱにおける制御情報を多重して、基地局装置へ送信することができる。
【０１１６】
図４の説明と同様に、図５においても、基地局装置は、ＲＲＣシグナリングを使用して準静的に割り当てる第１のＰＵＣＣＨ（格子線、点模様、横線で示されるＰＵＣＣＨ）に対して、グループスケジューリングを適用することができる。すなわち、基地局装置は、複数の移動局装置に対して第１のＰＵＣＣＨを設定することができ、第１のＰＵＣＣＨを複数の移動局装置で共有させることができる。図５では、基地局装置が、格子線、点模様、横線で示される第１のＰＵＣＣＨに対してグループスケジューリングを適用し、それぞれの第１のＰＵＣＣＨが、複数の移動局装置によって共有されていることが示されている。図５において、基地局装置によって動的に設定されている第２のＰＵＣＣＨ（斜線、網線で示されるＰＵＣＣＨ）は、ある移動局装置に対して動的にスケジュールされていることを示している（ダイナミックスケジューリングが適用されている）。
【０１１７】
上記までに示した通り、第１の実施形態では、基地局装置は、移動局装置がＨＡＲＱにおける制御情報を送信するために、第１のＰＵＣＣＨを準静的に移動局装置へ設定し、第２のＰＵＣＣＨを第１のＰＵＣＣＨを割り当てたサブフレームと同一のサブフレームに動的に移動局装置へ設定することができる。また、移動局装置は、基地局装置によって設定された第１のＰＵＣＣＨおよび／または第２のＰＵＣＣＨを使用して、ＨＡＲＱにおける制御情報を基地局装置へ送信することができる。この際、移動局装置は、ＨＡＲＱにおける制御情報をバンドリングして、基地局装置へ送信することができる。また、移動局装置は、ＨＡＲＱにおける制御情報を多重して、基地局装置へ送信することができる。
【０１１８】
基地局装置と移動局装置が、ＨＡＲＱにおける制御情報を上述のように送受信することによって、基地局装置は、移動局装置毎に準静的に第１のＰＵＣＣＨを設定することが可能となり、例えば、通信に使用しているキャリア要素の数や、セル内の無線リソースの状況に応じて、移動局装置毎に設定する第１のＰＵＣＣＨ（の数）を変更（修正）することが可能となる。基地局装置が、移動局装置毎に準静的に割り当てる第１のＰＵＣＣＨを変更（修正）することによって、上りリンクのリソースを効率的に割り当てることが可能となり、無線リソースに効率的に使用することができる。
【０１１９】
また、基地局装置が、第１のＰＵＣＣＨを設定する際に、グループスケジューリングを適用することによって、たとえ、ある移動局装置が第１のＰＵＣＣＨを使用しないような状況（例えば、１つの下りリンク／上りリンクのキャリア要素のみを使用して基地局装置と通信を行うような状況）であっても、他の移動局装置に対して、第１のＰＵＣＣＨを設定することが可能となり、上りリンクのリソースを効率的に使用することができる。さらに、基地局装置が、下りリンクのキャリア要素に配置するＰＤＣＣＨの位置に関連付けて、上りリンクのキャリア要素に配置される第２のＰＵＣＣＨを動的に設定することで、移動局装置に対して、効率的に第２のＰＵＣＣＨを設定することができる。
【０１２０】
また、移動局装置が、ＨＡＲＱにおける制御情報をバンドリング、または、多重して、基地局装置へ送信することによって、移動局装置における送信電力を低く抑えて、ＨＡＲＱにおける制御情報を送信することが可能となる。移動局装置が、基地局装置によって設定された（複数の）ＰＵＣＣＨの中のいずれかの（少数の）ＰＵＣＣＨを使用して、ＨＡＲＱにおける制御情報を送信することによって、移動局装置における送信電力を低く抑えたＨＡＲＱにおける制御情報の送信が可能となる。
【０１２１】
すなわち、基地局装置と移動局装置が、複数のキャリア要素によって構成される広帯域な周波数帯域を使用して通信を行う際に、基地局装置によるリソースの設定方法や、移動局装置における送信電力を考慮した効率的なＨＡＲＱにおける制御情報の送受信を可能とすることができる。ここで、第１の実施形態は、例として、対称周波数帯域集約された移動通信システムにおける基地局装置と移動局装置の動作について説明してきたが、非対称周波数帯域集約された移動通信システムにも同様の方法が適用できることは勿論である。
【０１２２】
（第２の実施形態）
次に、本発明の第２の実施形態について説明する。第２の実施形態では、基地局装置は、第１のＰＵＣＣＨを準静的に移動局装置へ設定し、下りリンクコンポーネントキャリアの活性化および／または非活性化を指示する情報を移動局装置へ送信し、第２のＰＵＣＣＨを第１のＰＵＣＣＨを割り当てたサブフレームと同一のサブフレームに動的に移動局装置へ設定し、移動局装置は、活性化および／または非活性化を指示する情報に従って活性化した第１のＰＵＣＣＨ、および／または、第２のＰＵＣＣＨを使用して、ＨＡＲＱにおける制御情報を基地局装置へ送信することができる。また、基地局装置は、第１のＰＵＣＣＨを準静的に前記移動局装置へ設定し、下りリンクコンポーネントキャリアの活性化および／または非活性化を指示する情報を移動局装置へ送信し、第２のＰＵＣＣＨを第１のＰＵＣＣＨを割り当てたサブフレームと同一のサブフレームに動的に移動局装置へ設定し、移動局装置は、活性化および／または非活性化を指示する情報に従って選択した第１のＰＵＣＣＨ、および／または、第２のＰＵＣＣＨを使用して、ＨＡＲＱにおける制御情報を基地局装置へ送信することができる。この際、移動局装置は、ＨＡＲＱにおける制御情報をバンドリングして、基地局装置へ送信することができる。また、移動局装置は、ＨＡＲＱにおける制御情報を多重して、基地局装置へ送信することができる。第２の実施形態では、第１の実施形態で示した基地局装置と移動局装置の動作と同様の動作が適用される。
【０１２３】
図６は、第２の実施形態の例を説明する図である。図６の左側には、横方向に、１００ＭＨｚの帯域幅を持った下りリンクの通信に使用される周波数帯域が、５つの下りリンクのキャリア要素（ＤＣＣ１、ＤＣＣ２、ＤＣＣ３、ＤＣＣ４、ＤＣＣ５）によって構成されていることが示されている。また、縦方向には、時間（サブフレーム）が示されており、例として、下りリンクサブフレーム＃ｎ、下りリンクサブフレーム＃ｎ+ｍ、下りリンクサブフレーム＃ｎ+ｐ、下りリンクサブフレーム＃ｎ+ｑが概念的に示されている（以下、下りリンクサブフレームを、サブフレームと呼称する）。また、図６の右側には、左側の図に対応する基地局装置と移動局装置の処理フローが概念的に示されている。
【０１２４】
図６において、基地局装置は、移動局装置が下りリンクでＰＤＳＣＨを受信するためにスケジュールされるかもしれない下りリンクのキャリア要素のセットを、移動局装置に対して設定することができる。以下、本実施形態では、この下りリンクのキャリア要素のセットを、下りリンクキャリア要素セット（ＤＣＣセット：Downlink Component Carrier Set）と呼称する。例えば、基地局装置は、下りリンクのキャリア要素を追加および／または除去する情報を含むＲＲＣシグナリングを移動局装置へ送信し、ＤＣＣセットを準静的に設定する（下りリンクのキャリア要素を追加する、および／または、取り除く）ことができる。すなわち、基地局装置は、制御するセル内の無線リソースの状況や各移動局装置の能力、各移動局装置の伝播路の状況などに応じて、ＤＣＣセットを移動局装置毎に設定することができる。
【０１２５】
図６において、サブフレーム＃ｎ、サブフレーム＃ｎ+ｍ、サブフレーム＃ｎ+ｐ、サブフレーム＃ｎ+ｑはそれぞれ、５つの下りリンクのキャリア要素（ＤＣＣ１、ＤＣＣ２、ＤＣＣ３、ＤＣＣ４、ＤＣＣ５）が、ＤＣＣセットとして設定されているサブフレームを示している。図６では、例として、基地局装置が５つの下りリンクのキャリア要素をＤＣＣセットとして設定しているが、基地局装置は、ＤＣＣセットとして、いくつの下りリンクのキャリア要素を設定しても良い。
【０１２６】
さらに、図６において、基地局装置は、下りリンクのキャリア要素の活性化および／または非活性する情報（活性化および／または非活性を指示する情報）を、移動局装置へ送信し、下りリンクのキャリア要素のセット（下りリンクでＰＤＳＣＨを受信するためにスケジュールされるかもしれない下りリンクのキャリア要素のセットでも良い）を、活性化および／または非活性化することができる。以下、本実施形態では、この下りリンクのキャリア要素のセットを、下りリンクキャリア要素活性化セット（ＤＣＣアクティブセット：Downlink Component Carrier Active Set）と呼称する。ここで、ＤＣＣアクティブセットは、上述したＤＣＣセットの中の下りリンクのキャリア要素に対して設定される。また、基地局装置は、ＤＣＣアクティブセットを、移動局装置がＰＤＣＣＨの検出を試みる（ＰＤＣＣＨをモニタリングする）下りリンクのキャリア要素として設定することもできる。
【０１２７】
図６において、サブフレーム＃ｎは、５つの下りリンクのキャリア要素（白塗りで示されるＤＣＣ１、ＤＣＣ２、ＤＣＣ３、ＤＣＣ４、ＤＣＣ５）が、活性化されていない（非活性化されている）サブフレームを示している。また、サブフレーム＃ｎ+ｍは、４つの下りリンクのキャリア要素（斜線で示されるＤＣＣ１、ＤＣＣ２、ＤＣＣ３、ＤＣＣ５）が、活性化されているサブフレームを示している。ここで、サブフレーム＃ｎ+ｍは、サブフレーム＃ｎに対して、ＤＣＣ１、ＤＣＣ２、ＤＣＣ３、ＤＣＣ５が活性化され、ＤＣＣ４の非活性化が維持されているサブフレームとも言える。また、サブフレーム＃ｎ+ｐは、３つの下りリンクのキャリア要素（斜線で示されるＤＣＣ１、ＤＣＣ３、ＤＣＣ４）が、活性化されているサブフレームを示している。ここで、サブフレーム＃ｎ+ｐは、サブフレーム＃ｎ+ｍに対して、ＤＣＣ１、ＤＣＣ３の活性化が維持され、ＤＣＣ２、ＤＣＣ５が非活性化され、ＤＣＣ４が活性化されているサブフレームとも言える。また、サブフレーム＃ｎ+ｑは、５つの下りリンクのキャリア要素（白塗りで示されるＤＣＣ１、ＤＣＣ２、ＤＣＣ３、ＤＣＣ４、ＤＣＣ５）が、非活性化されている（活性化されていない）サブフレームを示している。ここで、サブフレーム＃ｎ+ｑは、サブフレーム＃ｎ+ｐに対して、ＤＣＣ１、ＤＣＣ３、ＤＣＣ４が非活性化され、ＤＣＣ２、ＤＣＣ５の非活性化が維持されているサブフレームとも言える。
【０１２８】
例えば、基地局装置は、下りリンクのキャリア要素を活性化および／または非活性化する情報（活性化および／または非活性化を指示する情報）をＰＤＣＣＨに含めて移動局装置へ送信し、ＤＣＣアクティブセットを動的に制御（設定、指示）することができる。ここで、基地局装置は、ＰＤＣＣＨを使用して、下りリンクのキャリア要素の活性化を制御することができる。また、基地局装置は、ＰＤＣＣＨを使用して、下りリンクのキャリア要素の非活性化を制御することができる。さらに、基地局装置は、ＰＤＣＣＨを使用して、下りリンクのキャリア要素の活性化および非活性化を、同一サブフレームで（同じタイミングで）制御することができる。このように基地局装置が、移動局装置に対して、ＤＣＣアクティブセットを設定することによって、移動局装置における消費電力を節約する（移動局装置がモニタリングすべきＰＤＣＣＨが配置されるＤＣＣの数を削減する）ことが可能となり、移動局装置の省電力化を可能とすることができる。
【０１２９】
ここで、以下の説明では、基地局装置は、ＰＤＣＣＨを使用して、ＤＣＣアクティブセットを制御することを記載するが、基地局装置は、ＲＲＣシグナリングやＭＡＣコントロールエレメント（ＭＡＣシグナリング）を使用して、ＤＣＣアクティブセットを制御することもできる。例えば、基地局装置は、ＭＡＣコントロールエレメントを使用して制御する間欠受信（DRX：Discontinuous Reception）に関連付けて、ＤＣＣアクティブセットを制御しても良い。基地局装置が、ＰＤＣＣＨを使用して、ＤＣＣアクティブセットを制御することによって、より動的に（例えば、１ｍｓ間隔で）ＤＣＣアクティブセットを制御することが可能となり、移動局装置の省電力化に関する効果を最も大きくすることができる。一方、基地局装置が、ＲＲＣシグナリングやＭＡＣコントロールエレメントを使用して、ＤＣＣアクティブセットを制御することによって、より信頼性を持たせてＤＣＣアクティブセットを制御することができる。
【０１３０】
図６の右側に記載した基地局装置と移動局装置の処理フローについて説明する。図６のサブフレーム＃ｎより以前に、基地局装置は、５つの下りリンクのキャリア要素（ＤＣＣ１、ＤＣＣ２、ＤＣＣ３、ＤＣＣ４、ＤＣＣ５）を、ＤＣＣセットとして移動局装置へ設定する（ステップＳ１）。また、サブフレーム＃ｎより以前に、基地局装置は、移動局装置がＨＡＲＱにおける制御情報を送信するために、（複数の）第１のＰＵＣＣＨを準静的に設定するための設定情報（パラメータ）を、ＲＲＣシグナリングを使用して移動局装置へ通知（送信）する。例えば、基地局装置は、移動局装置がＨＡＲＱにおける制御情報を送信するために、４つの第１のＰＵＣＣＨのリソースに関する情報を、ＲＲＣシグナリングを使用して移動局装置へ通知することができる。
【０１３１】
図６において、例えば、基地局装置は、ＤＣＣ１、ＤＣＣ２、ＤＣＣ４、ＤＣＣ５にリンクさせたＰＵＣＣＨに関する設定情報を、第１のＰＵＣＣＨの設定情報として、移動局装置へ通知することができる。また、例えば、基地局装置は、ＤＣＣ３と１つの上りリンクのキャリア要素のリンクを設定することができる。すなわち、ＤＣＣ３とリンクされた１つの上りリンクのキャリア要素に配置されるＰＵＣＣＨが、第２のＰＵＣＣＨとして、ＤＣＣ３で送信されるＰＤＣＣＨに関連付けられる。
【０１３２】
サブフレーム＃ｎは、基地局装置がＤＣＣセットとして設定した５つの下りリンクのキャリア要素（ＤＣＣ１、ＤＣＣ２、ＤＣＣ３、ＤＣＣ４、ＤＣＣ５）が、活性化されていないサブフレームを示している。すなわち、サブフレーム＃ｎは、基地局装置が、移動局装置に対して、ＤＣＣアクティブセットを設定していないサブフレームを示している。サブフレーム＃ｎにおいて、移動局装置は、基地局装置によって設定情報が通知されている第１のＰＵＣＣＨのリソースを解放している。すなわち、移動局装置は、ＤＣＣ１、ＤＣＣ２、ＤＣＣ４、ＤＣＣ５にリンクされたそれぞれの第１のＰＵＣＣＨのリソースを解放している。
【０１３３】
サブフレーム＃ｎからサブフレーム＃ｎ+ｍの間で、基地局装置は、４つの下りリンクのキャリア要素（ＤＣＣ１、ＤＣＣ２、ＤＣＣ３、ＤＣＣ５）を、ＤＣＣアクティブセットとして移動局装置へ設定する（ステップＳ２）。すなわち、ＤＣＣ４は、非活性化が維持されていることを示している。ここで、移動局装置は、基地局装置によって設定されたＤＣＣアクティブセットに従って、第１のＰＵＣＣＨのリソースを活性化することができる。すなわち、移動局装置は、ＤＣＣアクティブセットに従って、ＤＣＣ１、ＤＣＣ２、ＤＣＣ５にリンクされたそれぞれの第１のＰＵＣＣＨのリソースを活性化することができる。すなわち、ＤＣＣ４にリンクされた第１のＰＵＣＣＨのリソースは解放を維持したままである（移動局装置は、ＤＣＣ４にリンクされた第１のＰＵＣＣＨのリソースの解放を維持することができる）。すなわち、基地局装置によって設定されたＤＣＣアクティブセットに従って、基地局装置によって通知されている第１のＰＵＣＣＨに関する設定情報をもとに、３つの第１のＰＵＣＣＨが移動局装置に対して準静的に設定される（割り当てられる）。
【０１３４】
サブフレーム＃ｎ+ｍで、基地局装置は、（複数の）ＰＤＣＣＨを使用して（複数の）ＰＤＳＣＨを移動局装置へ設定する（割り当てる）（ステップＳ３）。また、基地局装置は、（複数の）ＰＤＳＣＨを使用して（複数の）下りリンクトランスポートブロックを、同一サブフレームで移動局装置へ送信する。例えば、基地局装置は、活性化した４つの下りリンクのキャリア要素（ＤＣＣ１、ＤＣＣ２、ＤＣＣ３、ＤＣＣ５）それぞれでＰＤＣＣＨを送信し、４つのＰＤＳＣＨを設定する。また、基地局装置は、４つのＰＤＳＣＨを使用して、４つの下りリンクトランスポートブロックを、同一サブフレームで移動局装置へ送信する。また、基地局装置は、ＤＣＣ３で送信するＰＤＣＣＨに関連付けて、第２のＰＵＣＣＨを動的に移動局装置へ設定する（割り当てる）。すなわち、基地局装置は、ＤＣＣアクティブセットを設定することによって準静的に設定した（複数の）第１のＰＵＣＣＨと同一のサブフレームに、第２のＰＵＣＣＨを動的に移動局装置へ設定する。
【０１３５】
サブフレーム＃ｎ＋ｍに対応する上りリンクのサブフレームで、移動局装置は、（複数の）ＰＤＣＣＨおよび／または（複数の）下りリンクトランスポートブロックに対するＨＡＲＱにおける制御情報を、基地局装置へ送信する（ステップＳ４）。すなわち、移動局装置は、ＤＣＣアクティブセットに従って活性化（追加、維持）した３つの第１のＰＵＣＣＨ、および／または、動的に割り当てられた第２のＰＵＣＣＨを使用して、ＨＡＲＱにおける制御情報を基地局装置へ送信することができる。この際、移動局装置は、ＨＡＲＱにおける制御情報をバンドリングして、基地局装置へ送信することができる。また、移動局装置は、ＨＡＲＱにおける制御情報を多重して、基地局装置へ送信することができる。
【０１３６】
サブフレーム＃ｎ+ｍからサブフレーム＃ｎ+ｐの間で、基地局装置は、３つの下りリンクのキャリア要素（ＤＣＣ１、ＤＣＣ３、ＤＣＣ４）を、ＤＣＣアクティブセットとして移動局装置へ設定する（ステップＳ５）。すなわち、基地局装置は、２つの下りリンクのキャリア要素（ＤＣＣ２、ＤＣＣ５）を、非活性化する。ここで、移動局装置は、基地局装置によって設定されたＤＣＣアクティブセットに従って、第１のＰＵＣＣＨのリソースを活性化および解放することができる。すなわち、移動局装置は、ＤＣＣアクティブセットに従って、ＤＣＣ１、ＤＣＣ４にリンクされたそれぞれの第１のＰＵＣＣＨのリソースを活性化することができる（ＤＣＣ１にリンクされた第１のＰＵＣＣＨのリソースの活性化を維持し、ＤＣＣ４にリンクされた第１のＰＵＣＣＨのリソースの活性化を追加することができる）。また、移動局装置は、ＤＣＣ２、ＤＣＣ５にリンクされた第１のＰＵＣＣＨのリソースを解放することができる。すなわち、基地局装置によって設定されたＤＣＣアクティブセットに従って、基地局装置によって通知されている第１のＰＵＣＣＨに関する設定情報をもとに、２つの第１のＰＵＣＣＨが移動局装置に対して準静的に設定される（割り当てられる）。
【０１３７】
サブフレーム＃ｎ+ｐで、基地局装置は、（複数の）ＰＤＣＣＨを使用して（複数の）ＰＤＳＣＨを移動局装置へ設定する（ステップＳ６）。また、基地局装置は、（複数の）ＰＤＳＣＨを使用して（複数の）下りリンクトランスポートブロックを、同一サブフレームで移動局装置へ送信する。例えば、基地局装置は、活性化した３つの下りリンクのキャリア要素（ＤＣＣ１、ＤＣＣ３、ＤＣＣ４）それぞれでＰＤＣＣＨを送信し、３つのＰＤＳＣＨを設定する。また、基地局装置は、３つのＰＤＳＣＨを使用して、３つの下りリンクトランスポートブロックを移動局装置へ送信する。さらに、基地局装置は、ＤＣＣ３で送信するＰＤＣＣＨに関連付けて、第２のＰＵＣＣＨを動的に移動局装置へ設定する。
【０１３８】
サブフレーム＃ｎ＋ｐに対応する上りリンクのサブフレームで、移動局装置は、（複数の）ＰＤＣＣＨおよび／または（複数の）下りリンクトランスポートブロックに対するＨＡＲＱにおける制御情報を、基地局装置へ送信する（ステップＳ７）。すなわち、移動局装置は、ＤＣＣアクティブセットに従って活性化（追加、維持）した２つの第１のＰＵＣＣＨ、および／または、動的に割り当てられた第２のＰＵＣＣＨを使用して、ＨＡＲＱにおける制御情報を基地局装置へ送信することができる。この際、移動局装置は、ＨＡＲＱにおける制御情報をバンドリングして、基地局装置へ送信することができる。また、移動局装置は、ＨＡＲＱにおける制御情報を多重して、基地局装置へ送信することができる。
【０１３９】
サブフレーム＃ｎ＋ｐからサブフレーム＃ｎ+ｑの間で、基地局装置は、５つの下りリンクのキャリア要素（ＤＣＣ１、ＤＣＣ２、ＤＣＣ３、ＤＣＣ４、ＤＣＣ５）を、非活性化する（ステップＳ８）。ここで、移動局装置は、基地局装置によって設定されたＤＣＣアクティブセットに従って、第１のＰＵＣＣＨのリソースを解放することができる。すなわち、移動局装置は、ＤＣＣアクティブセットに従って、ＤＣＣ１、ＤＣＣ２、ＤＣＣ３、ＤＣＣ４、ＤＣＣ５にリンクされたそれぞれの第１のＰＵＣＣＨのリソースを解放する（ＤＣＣ１、ＤＣＣ３、ＤＣＣ４にリンクされた第１のＰＵＣＣＨのリソースを解放し、ＤＣＣ２、ＤＣＣ５にリンクされた第１のＰＵＣＣＨのリソースの解放を維持ことができる）。
【０１４０】
さらに、図６において、基地局装置と移動局装置における処理フローの別の例を説明する。上述したように、図６のサブフレーム＃ｎより以前に、基地局装置は、５つの下りリンクのキャリア要素（ＤＣＣ１、ＤＣＣ２、ＤＣＣ３、ＤＣＣ４、ＤＣＣ５）を、ＤＣＣセットとして移動局装置へ設定する（ステップＳ１）。また、サブフレーム＃ｎより以前に、基地局装置は、移動局装置がＨＡＲＱにおける制御情報を送信するための（複数の）第１のＰＵＣＣＨを、ＲＲＣシグナリングを使用して移動局装置へ準静的に設定する（割り当てる）。例えば、図６において、基地局装置は、ＤＣＣ１、ＤＣＣ２、ＤＣＣ４、ＤＣＣ５にリンクさせた４つの第１のＰＵＣＣＨを移動局装置へ設定することができる。また、例えば、基地局装置は、ＤＣＣ３と１つの上りリンクのキャリア要素のリンクを設定する。すなわち、ＤＣＣ３とリンクされた１つの上りリンクのキャリア要素に配置されるＰＵＣＣＨが、第２のＰＵＣＣＨとして、ＤＣＣ３で送信されるＰＤＣＣＨに関連付けられる。
【０１４１】
サブフレーム＃ｎは、基地局装置がＤＣＣセットとして設定した５つの下りリンクのキャリア要素（ＤＣＣ１、ＤＣＣ２、ＤＣＣ３、ＤＣＣ４、ＤＣＣ５）が、活性化されていないサブフレームを示している。すなわち、サブフレーム＃ｎは、基地局装置が、移動局装置に対して、ＤＣＣアクティブセットを設定していないサブフレームを示している。ここで、移動局装置には、ＤＣＣ１、ＤＣＣ２、ＤＣＣ４、ＤＣＣ５にリンクされた４つの第１のＰＵＣＣＨが設定されている（割り当てられている）。
【０１４２】
サブフレーム＃ｎからサブフレーム＃ｎ+ｍの間で、基地局装置は、４つの下りリンクのキャリア要素（ＤＣＣ１、ＤＣＣ２、ＤＣＣ３、ＤＣＣ５）を、ＤＣＣアクティブセットとして移動局装置へ設定する（ステップＳ２）。すなわち、ＤＣＣ４は、非活性化が維持されていることを示している。ここで、移動局装置は、基地局装置によって設定されたＤＣＣアクティブセットに従って、ＨＡＲＱにおける制御情報を送信するための第１のＰＵＣＣＨのリソースを選択（変更）することができる。すなわち、移動局装置は、ＤＣＣアクティブセットに従って、ＨＡＲＱにおける制御情報を送信するための第１のＰＵＣＣＨのリソースとして、ＤＣＣ１、ＤＣＣ２、ＤＣＣ５にリンクされたそれぞれの第１のＰＵＣＣＨのリソースを選択（変更）することができる。ここで、ＤＣＣ４にリンクされた第１のＰＵＣＣＨのリソースは、移動局装置に設定されたままである（割り当てられたままである）。
【０１４３】
サブフレーム＃ｎ+ｍで、基地局装置は、（複数の）ＰＤＣＣＨを使用して（複数の）ＰＤＳＣＨを移動局装置へ設定する（割り当てる）（ステップＳ３）。また、基地局装置は、（複数の）ＰＤＳＣＨを使用して（複数の）下りリンクトランスポートブロックを、同一サブフレームで移動局装置へ送信する。例えば、基地局装置は、活性化した４つの下りリンクのキャリア要素（ＤＣＣ１、ＤＣＣ２、ＤＣＣ３、ＤＣＣ５）それぞれでＰＤＣＣＨを送信し、４つのＰＤＳＣＨを設定する。また、基地局装置は、４つのＰＤＳＣＨを使用して、４つの下りリンクトランスポートブロックを、同一サブフレームで移動局装置へ送信する。また、基地局装置は、ＤＣＣ３で送信するＰＤＣＣＨに関連付けて、第２のＰＵＣＣＨを動的に移動局装置へ設定する（割り当てる）。すなわち、基地局装置は、ＤＣＣアクティブセットを設定することによって準静的に設定した（複数の）第１のＰＵＣＣＨと同一のサブフレームに、第２のＰＵＣＣＨを動的に移動局装置へ設定する。
【０１４４】
サブフレーム＃ｎ＋ｍに対応する上りリンクのサブフレームで、移動局装置は、（複数の）ＰＤＣＣＨおよび／または（複数の）下りリンクトランスポートブロックに対するＨＡＲＱにおける制御情報を、基地局装置へ送信する（ステップＳ４）。すなわち、移動局装置は、ＤＣＣアクティブセットに従って選択（変更）した３つの第１のＰＵＣＣＨ、および／または、動的に割り当てられた第２のＰＵＣＣＨを使用して、ＨＡＲＱにおける制御情報を基地局装置へ送信することができる。この際、移動局装置は、ＨＡＲＱにおける制御情報をバンドリングして、基地局装置へ送信することができる。また、移動局装置は、ＨＡＲＱにおける制御情報を多重して、基地局装置へ送信することができる。
【０１４５】
サブフレーム＃ｎ+ｍからサブフレーム＃ｎ+ｐの間で、基地局装置は、３つの下りリンクのキャリア要素（ＤＣＣ１、ＤＣＣ３、ＤＣＣ４）を、ＤＣＣアクティブセットとして移動局装置へ設定する（ステップＳ５）。すなわち、基地局装置は、２つの下りリンクのキャリア要素（ＤＣＣ２、ＤＣＣ５）を、非活性化する。ここで、移動局装置は、基地局装置によって設定されたＤＣＣアクティブセットに従って、ＨＡＲＱにおける制御情報を送信するための第１のＰＵＣＣＨのリソースを選択（変更）することができる。すなわち、移動局装置は、ＤＣＣアクティブセットに従って、ＨＡＲＱにおける制御情報を送信するための第１のＰＵＣＣＨのリソースとして、ＤＣＣ１、ＤＣＣ４にリンクされた第１のＰＵＣＣＨのリソースを選択（変更）することができる。ここで、ＤＣＣ２、ＤＣＣ５にリンクされた第１のＰＵＣＣＨのリソースは、移動局装置に設定されたままである（割り当てられたままである）。
【０１４６】
サブフレーム＃ｎ+ｐで、基地局装置は、（複数の）ＰＤＣＣＨを使用して（複数の）ＰＤＳＣＨを移動局装置へ設定する（ステップＳ６）。また、基地局装置は、（複数の）ＰＤＳＣＨを使用して（複数の）下りリンクトランスポートブロックを、同一サブフレームで移動局装置へ送信する。例えば、基地局装置は、活性化した３つの下りリンクのキャリア要素（ＤＣＣ１、ＤＣＣ３、ＤＣＣ４）それぞれでＰＤＣＣＨを送信し、３つのＰＤＳＣＨを設定する。また、基地局装置は、３つのＰＤＳＣＨを使用して、３つの下りリンクトランスポートブロックを移動局装置へ送信する。さらに、基地局装置は、ＤＣＣ３で送信するＰＤＣＣＨに関連付けて、第２のＰＵＣＣＨを動的に移動局装置へ設定する。
【０１４７】
サブフレーム＃ｎ＋ｐに対応する上りリンクのサブフレームで、移動局装置は、（複数の）ＰＤＣＣＨおよび／または（複数の）下りリンクトランスポートブロックに対するＨＡＲＱにおける制御情報を、基地局装置へ送信する。すなわち、移動局装置は、ＤＣＣアクティブセットに従って選択（変更）した２つの第１のＰＵＣＣＨ、および／または、動的に割り当てられた第２のＰＵＣＣＨを使用して、ＨＡＲＱにおける制御情報を基地局装置へ送信することができる。この際、移動局装置は、ＨＡＲＱにおける制御情報をバンドリングして、基地局装置へ送信することができる。また、移動局装置は、ＨＡＲＱにおける制御情報を多重して、基地局装置へ送信することができる。
【０１４８】
サブフレーム＃ｎ＋ｐからサブフレーム＃ｎ+ｑの間で、基地局装置は、５つの下りリンクのキャリア要素（ＤＣＣ１、ＤＣＣ２、ＤＣＣ３、ＤＣＣ４、ＤＣＣ５）を、非活性化する。この際、移動局装置には、ＤＣＣ１、ＤＣＣ２、ＤＣＣ４、ＤＣＣ５にリンクされた４つの第１のＰＵＣＣＨが設定されている（割り当てられている）。
【０１４９】
上記までに示した通り、第２の実施形態では、基地局装置は、ＤＣＣアクティブセットを移動局装置へ設定し、移動局装置は、基地局装置によって設定されたＤＣＣアクティブセットに従って第１のＰＵＣＣＨのリソースを活性化（追加、維持）および／または解放し、第１のＰＵＣＣＨおよび／または第２のＰＵＣＣＨを使用して、ＨＡＲＱにおける制御情報を基地局装置へ送信することができる。また、基地局装置は、ＤＣＣアクティブセットを移動局装置へ設定し、移動局装置は、基地局装置によって設定されたＤＣＣアクティブセットに従って第１のＰＵＣＣＨのリソースを選択（変更）し、第１のＰＵＣＣＨおよび／または第２のＰＵＣＣＨを使用して、ＨＡＲＱにおける制御情報を基地局装置へ送信することができる。この際、移動局装置は、ＨＡＲＱにおける制御情報をバンドリングして、基地局装置へ送信することができる。また、移動局装置は、ＨＡＲＱにおける制御情報を多重して、基地局装置へ送信することができる。
【０１５０】
基地局装置と移動局装置が、このようにＨＡＲＱにおける制御情報を送受信することによって、基地局装置が、ＤＣＣアクティブセットに応じて、第１のＰＵＣＣＨを設定することが可能となり、上りリンクのリソースを効率的に設定することができる。また、基地局装置が、ＤＣＣアクティブセットに応じて、第１のＰＵＣＣＨを設定することで、移動局装置に対して、効率的に第１のＰＵＣＣＨを設定することができる。また、移動局装置が、ＨＡＲＱにおける制御情報をバンドリング、または、多重して、基地局装置へ送信することによって、移動局装置における送信電力を低く抑えて、ＨＡＲＱにおける制御情報を送信することが可能となる。移動局装置が、基地局装置によって設定された（複数の）ＰＵＣＣＨの中のいずれかの（少数の）ＰＵＣＣＨを使用して、ＨＡＲＱにおける制御情報を送信することによって、移動局装置における送信電力を低く抑えたＨＡＲＱにおける制御情報の送信が可能となる。
【０１５１】
すなわち、基地局装置と移動局装置が、複数のキャリア要素によって構成される広帯域な周波数帯域を使用して通信を行う際に、基地局装置によるリソースの設定方法や、移動局装置における送信電力を考慮した効率的なＨＡＲＱにおける制御情報の送受信を可能とすることができる。ここで、第１の実施形態は、例として、対称周波数帯域集約された移動通信システムにおける基地局装置と移動局装置の動作について説明してきたが、非対称周波数帯域集約された移動通信システムにも同様の方法が適用できることは勿論である。
【０１５２】
本発明に関わる移動局装置および基地局装置で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ＲＯＭ、不揮発性メモリカード等）、光記録媒体（例えば、ＤＶＤ、ＭＯ、ＭＤ、ＣＤ、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。また市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれる。また、上述した実施形態における移動局装置および基地局装置の一部、または全部を典型的には集積回路であるＬＳＩとして実現してもよい。移動局装置および基地局装置の各機能ブロックは個別にチップ化してもよいし、一部、または全部を集積してチップ化してもよい。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能である。以上、この発明の実施形態を、図面を参照して詳述してきたが、具体的な構成はこの実施形態に限られるものではなく、この発明の要旨を逸脱しない範囲の設計等も特許請求の範囲に含まれる。以上、この発明の実施形態について図面を参照して詳述してきたが、具体的な構成はこの実施形態に限られるものではなく、この発明の要旨を逸脱しない範囲の設計等も特許請求の範囲に含まれる。
【符号の説明】
【０１５３】
１００  基地局装置
１０１  データ制御部
１０２  送信データ変調部
１０３  無線部
１０４  スケジューリング部
１０５  チャネル推定部
１０６  受信データ復調部
１０７  データ抽出部
１０８  上位層
１０９  アンテナ
１１０  無線リソース制御部
２００  移動局装置
２０１  データ制御部
２０２  送信データ変調部
２０３  無線部
２０４  スケジューリング部
２０５  チャネル推定部
２０６  受信データ復調部
２０７  データ抽出部
２０８  上位層
２０９  アンテナ
２１０  無線リソース制御部
【図１】
0005865530.tif 000002
【図２】
0005865530.tif 000003
【図３】
0005865530.tif 000004
【図４】
0005865530.tif 000005
【図５】
0005865530.tif 000006
【図６】
0005865530.tif 000007
【図７】
0005865530.tif 000008
【図８】
0005865530.tif 000009